(57)【要約】本発明の一実施の形態は、偽造防止効果を必要とするセキュリティ印刷物である銀行券、パスポート、有価証券、身分証明書、カード、通行券等の貴重印刷物の分野において、特に、印刷画像中に目視上隠蔽されている画像が、特定のフィルタやフィルムを重ね合わせることで出現したり、また、フィルタやフィルム等と一体に形成された印刷物を傾けたりすることによって印刷画像が変化する画像形成体、真偽判別具及び真偽判別方法に関するものである。  パール顔料や液晶材料等のカラーフリップフロップ性を備えた材料を用いて、所定のピッチの凸形状画線や凸形状画素の集合によって形成した第一の画像の上に、透明又は第一の画像を形成する材料の正反射時の色と異なる色彩の材料を用いて、第一の画像とわずかに異なるピッチで形成した第二の画像を用いて形成する画像形成体を提供する。  また、モアレを形成する一つ一つの画像要素をわずかずつに変化させることによってモアレ画像の動きの変化や形状の変化を制御し、画像間のピッチを調整することによって、モアレ画像に生じる歪みを最小限に抑え、かつ、モアレの遠近感や変化の早さを制御する画線構成とする。
2009139396.tif 000002
【特許請求の範囲】
【請求項１】
基材上に、第一の画像と第二の画像を有する画像形成体において、
前記第一の画像は、カラーフリップフロップ性を備えた材料によって、規則的なピッチで複数配列された凸形状の第一の要素を有し、
前記第二の画像は、透明又は前記第一の画像を正反射させたときの色と異なる色を有する材料によって、前記凸形状の第一の要素と異なる規則的なピッチで複数配列された第二の要素を有し、
前記第二の要素は少なくとも前記第一の要素上に形成されていることを特徴とする画像形成体。
【請求項２】
前記第一の要素は、凸形状の第一の画線であり、前記第二の要素は、第二の画線であることを特徴とする請求項１記載の画像形成体。
【請求項３】
前記第一の要素は、凸形状の第一の画素であり、前記第二の要素は、第二の画素であることを特徴とする請求項１記載の画像形成体。
【請求項４】
前記第一の画像又は前記第二の画像は、さらに第三の画像を含み、
前記第一の画像が前記第三の画像を含む場合は、前記第三の画像における第三の要素のピッチは、前記第一の画像における前記第一の要素のピッチと異なり、
前記第二の画像が前記第三の画像を含む場合は、前記第三の画像における第三の要素のピッチは、前記第二の画像における前記第二の要素のピッチと異なっていることを特徴とする請求項１乃至３のいずれか一項記載の画像形成体。
【請求項５】
前記第一の画像又は前記第二の画像が、複数の領域に分割されてなり、分割された前記複数の領域における、それぞれの第一の要素又は第二の要素は、ピッチが同一又は異なっていることを特徴とする請求項１乃至４のいずれか一項記載の画像形成体。
【請求項６】
前記第一の要素における規則的なピッチ又は前記第二の要素における規則的なピッチが、所定のピッチで前記第一の要素又は前記第二の要素が複数配列されて成るピッチであるか、又は連続的に異なるピッチで前記第一の要素又は前記第二の要素が複数配列されて成るピッチであることを特徴とする請求項１乃至５のいずれか一項記載の画像形成体。
【請求項７】
前記第一の画線、及び／又は前記第二の画線は、画線幅が同一又は異なることを特徴とする請求項２、４乃至６のいずれか一項記載の画像形成体。
【請求項８】
前記第一の画素、及び／又は前記第二の画素は、画素面積が同一又は異なることを特徴とする請求項３乃至６のいずれか一項記載の画像形成体。
【請求項９】
前記第二の画線は、前記第一の画線に対して平行又は所定の角度を有していることを特徴とする請求項２、４乃至７のいずれか一項記載の画像形成体。
【請求項１０】
前記カラーフリップフロップ性を備えた材料が、鱗片状マイカ顔料、鱗片状金属顔料、ガラスフレーク顔料、コレステリック液晶顔料の少なくとも一つを含むことを特徴とする請求項１乃至９のいずれか一項記載の画像形成体。
【請求項１１】
前記鱗片状マイカ顔料、前記鱗片状金属顔料、前記ガラスフレーク顔料又は前記コレステリック液晶顔料が、撥水及び撥油性の表面処理を施した、平面配向性を有する顔料であることを特徴とする請求項１乃至１０のいずれか一項記載の画像形成体。
【請求項１２】
第一基材と、
前記第一基材の表面の少なくとも一部の領域に第一画像が形成され、
前記第一画像は、第１の第一画像要素、第２の第一画像要素、・・・、第ｎ（ｎは２以上の自然数とする）の第一画像要素で構成される第一画像群が少なくとも一つ配置されて成り、前記第一画像群は、形状又は角度が各々異なる前記第一画像要素が、横方向、縦方向又は両方向に同じ縮率で圧縮され、かつ、前記第一画像要素同士が重ならないように、規則的な第一ピッチで連続的に配置されて成り、隣り合った前記第一画像要素同士の変化の度合いに規則性があることを特徴とする画像形成体。
【請求項１３】
前記第一画像要素は、画線構造又は画素構造であることを特徴とする請求項１２載の画像形成体。
【請求項１４】
少なくとも一つ配置されて成る前記第一画像群のうちの一つの前記第一画像群における前記第一画像要素は、前記規則的な第一ピッチが、一定又は一定の割合で変化して成ることを特徴とする請求項１２又は１３記載の画像形成体。
【請求項１５】
前記規則的な第一ピッチは、少なくとも二つの前記第一画像群が配置されている場合に、各第一画像群のピッチがそれぞれ異なっていることを特徴とする請求項１２乃至１４のいずれか一項記載の画像形成体。
【請求項１６】
請求項１２記載の画像形成体の真偽判別を行う真偽判別具であって、
第二基材と、
前記第二基材の表面の少なくとも一部の領域に第二画像が形成され、
前記第二画像は、第二画像要素で構成される第二画像群が少なくとも一つ配置されて成り、前記第二画像群は、前記第二画像要素が、規則的な第二ピッチで連続的に配置されて成り、
前記第一画像における第一画像要素の第一ピッチと、前記第二画像における第二画像要素の第二ピッチが異なり、
前記第一画像と前記第二画像が重なるように、前記第一基材と前記第二基材を重ね合わせて、モアレ画像を目視可能とすることを特徴とする真偽判別具。
【請求項１７】
前記第二画像要素は、画線構造又は画素構造であることを特徴とする請求項１６記載の真偽判別具。
【請求項１８】
前記規則的な第二ピッチは、ピッチが一定又はピッチが一定の割合で変化して成ることを特徴とする請求項１６又は１７記載の真偽判別具。
【請求項１９】
前記規則的な第二ピッチは、少なくとも二つの前記第二画像群が配置されている場合に、各第二画像群のピッチがそれぞれ異なっていることを特徴とする請求項１６乃至１８のいずれか一項記載の真偽判別具。
【請求項２０】
前記第二基材は、透明又は半透明であることを特徴とする請求項１６乃至１９のいずれか一項記載の真偽判別具。
【請求項２１】
前記第一基材が透明又は半透明であり、かつ、前記第二基材が不透明である場合、前記第二画像における第二画像要素を除いた部分は、前記第二基材が除去されて成ることを特徴とする請求項１６乃至１９のいずれか一項記載の真偽判別具。
【請求項２２】
第二基材と、前記第二基材の表面の少なくとも一部の領域に第二画像が形成され、前記第二画像は、第二画像要素で構成される第二画像群が少なくとも一つ配置されて成り、前記第二画像群は、前記第二画像要素が、規則的な第二ピッチで連続的に配置されて成り、前記第一画像における第一画像要素の第一ピッチと、前記第二画像における第二画像要素の第二ピッチが異なる真偽判別具を用いて、請求項１２記載の画像形成体に真偽判別を行う真偽判別方法であって、
前記第一画像の第一ピッチの方向と前記第二画像の第二ピッチの方向が同じ方向で、前記第一画像と前記第二画像が重なるように、前記第一基材と前記第二基材を重ね合わせ、前記第一基材と前記第二基材を、前記第一画像における第一画像要素のピッチ方向及び前記第二画像における第二画像要素のピッチ方向に平行に動かし、モアレ画像が視認可能である場合に真正品であり、前記モアレ画像が視認不可能である場合に偽造品であると判別することを特徴とする真偽判別方法。
【請求項２３】
第一画像と第二画像とを備える画像形成体であって、
前記第一画像は、第１の第一画像要素、第２の第一画像要素、・・・、第ｎ（ｎは２以上の自然数とする）の第一画像要素で構成される第一画像群が少なくとも一つ配置されて成り、前記第一画像群は、形状又は角度が各々異なる前記第一画像要素が、横方向、縦方向又は両方向に同じ縮率で圧縮され、かつ、前記第一画像要素同士が重ならないように、規則的な第一ピッチで連続的に配置されて成り、隣り合った前記第一画像要素同士の変化の度合いに規則性があり、
前記第二画像は、第二画像要素で構成される第二画像群を有し、前記第二画像群は、前記第二画像要素が、規則的な第二ピッチで連続的に配置されて成り、
前記第一画像における第一画像要素の第一ピッチと、前記第二画像における第二画像要素の第二ピッチが異なり、
前記第一画像は、第一基材の表面の少なくとも一部の領域に形成されて成り、前記第二画像は、第二基材の表面の少なくとも一部の領域に形成されて成り、前記第一画像の第一ピッチの方向と前記第二面像の第二ピッチの方向が同じ方向で、前記第一画像と前記第二画像が重なるように、前記第一基材と前記第二基材が積層されて成ることを特徴とする画像形成体。
【請求項２４】
第一画像と第二画像とを備える画像形成体であって、
前記第一画像は、第１の第一画像要素、第２の第一画像要素、・・・、第ｎ（ｎは２以上の自然数とする）の第一画像要素で構成される第一画像群が少なくとも一つ配置されて成り、前記第一画像群は、形状又は角度が各々異なる前記第一画像要素が、横方向、縦方向又は両方向に同じ縮率で圧縮され、かつ、前記第一画像要素同士が重ならないように、規則的な第一ピッチで連続的に配置されて成り、隣り合った前記第一画像要素同士の変化の度合いに規則性があり、
前記第二画像は、第二画像要素で構成される第二画像群を有し、前記第二画像群は、前記第二画像要素が、規則的な第二ピッチで連続的に配置されて成り、
前記第一画像における第一画像要素の第一ピッチと、前記第二画像における第二画像要素の第二ピッチが異なり、
前記第一画像と前記第二画像のいずれか一方は、基材の表裏のいずれか一方の表面の少なくとも一部の領域に形成されて成り、前記第一画像と前記第二画像の他の一方は、前記基材の表裏の他の一方の表面の少なくとも一部の領域に、前記第一画像の第一ピッチの方向と前記第二画像の第二ピッチの方向が同じ方向で、かつ、前記第一画像と前記第二画像が重なるように形成されて成ることを特徴とする画像形成体。
【請求項２５】
前記第一画像要素及び前記第二画像要素は、画線構造又は画素構造であることを特徴とする請求項２３又は２４項記載の画像形成体。
【請求項２６】
前記規則的な第一ピッチ及び前記規則的な第二ピッチは、ピッチが一定又はピッチが一定の割合で変化して成ることを特徴とする請求項２３乃至２５のいずれか一項記載の画像形成体。
【請求項２７】
前記規則的な第一ピッチ及び前記規則的な第二ピッチは、少なくとも二つの前記第一画像群が配置されている場合に、各第一画像群における前記第一画像要素のピッチがそれぞれ異なっていることを特徴とする請求項２３乃至２６のいずれか一項記載の画像形成体。
【請求項２８】
前記第一基材及び／又は前記第二基材は、透明又は半透明であることを特徴とする請求項２３乃至２７のいずれか一項記載の画像形成体。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、特に、印刷画像中に目視上隠蔽されている画像が、特定のフィルタやフィルムを重ね合わせることで出現したり、また、フィルタやフィルム等と一体に形成された印刷物を傾けたりすることによって印刷画像が変化する、偽造防止用又は真偽判別用の画像形成体、真偽判別具及び真偽判別方法に関わるものである。
【背景技術】
【０００２】
従来、パララックスバリアやレンチキュラーレンズ又はホログラム等を用いて、観察する角度に応じて、平面上に形成された画像が動いて見える動画的効果を実現したり、立体感を感じさせたりといった特殊な視覚効果を実現した画像形成体が存在する。【０００３】
これらの中には、ピッチの異なる二つの画線や画素、模様等が干渉することで出現する干渉縞、いわゆるモアレを利用して動画的効果や立体感を実現している技術がある（例えば、特許文献１及び特許文献２参照）。【０００４】
このモアレによって出現する画像は、立体感を有し、傾けた場合の動きも極めてスムーズであるという特徴の他に、多くの場合、一定ピッチで繰り返し同じ画像を配列して形成することから、画像の作製も比較的容易であり、厳重な刷り合わせの管理を行わなくても、比較的安定して同じ画像が出現する点において、大量生産に向いているという特徴を有している。【０００５】
また、このモアレが有する独特の立体感の表現と動きのユニークさを、貴重印刷物における真偽判別要素として応用し、従来のパララックスバリア方式やレンチキュラー方式とは異なる方法で実現した技術を、本出願人は過去に出願している（例えば、特許文献３参照）。また、網点で構成された二色刷り以上の印刷物において、それぞれの色の印刷物上の網点配置によっては、各網点の干渉のために印刷物上にモアレが生じることから、一般商業印刷において、このモアレの発生を抑制するための印刷技術が多々用いられている。【０００６】
モアレの発生を抑制するための技術の一例としては、各版面における網点同士の過度な干渉を抑制するために、版面ごとの網点線数を変化させたり、版面ごとに網点の配置角度を変化させたりする技術が挙げられる。その他、特殊な印刷技術としては、網点の大小で濃淡を表現するＡＭスクリーン自体を用いず、網点の密度によって濃淡を表現するＦＭスクリーンが代表的な例として挙げられる。【０００７】
以上のように、印刷物上に発生するモアレは、一般的には、抑制すべき品質異常の一部であるが、逆に、このモアレを真偽判別要素として用いた技術も存在する。【０００８】
モアレを真偽判別要素として用いる技術の一例としては、一定の線数と角度を有する網点で構成された背景画像と、目視で観察した場合には、判別が不可能な程度に背景画像と線数や角度をわずかに異ならせた網点及び画線で構成した潜像画像とから成る印刷画像を作製する技術が挙げられ、この印刷画像の潜像画像又は背景画像と線数が異なる線数の判別用フィルムを判別具として印刷画像に重ねあわせることで、判別用フィルム上にモアレによる潜像が生じることを利用する、潜像の有無によって真偽判別要素とするものである。この場合、背景画像のピッチ又は潜像画像のピッチに対して、一定の法則に従ったピッチで判別用フィルムを作製し、モアレの視認性を高める方法が一般的である。【０００９】
この技術は、製版設備が備わっている製造業者にとっては、一定のセキュリティレベルを有する印刷物を極めて容易に作製することが可能であり、かつ、使用者にとっては、簡易的な判別具のみで真偽判別を行うことが可能な技術である。ゆえに、セキュリティ印刷の分野において公知であり、かつ、従来から広く用いられてきている。【００１０】
また、モアレによる潜像を観察すると、平面に印刷されている模様に関わらず、奇妙な遠近感が生じることが多い。もともとモアレによって生じる像は、光の干渉によって発生する像のため、部分的に焦点が合った部位と焦点が合わない部位が生じて強い濃淡を表現していることに加え、その画像の構成によっては、左右の目で観察される画像がわずかに異なる、いわゆる視差がこの遠近感を助長する。【００１１】
一般にモアレは、ピッチの異なる二つの画線や画素、模様等が干渉することで出現する干渉縞であることから、単に直線や曲線が繰り返された縞模様や四角や円等の単純な模様であることが多い（例えば、特許文献１、特許文献４参照）。【００１２】
また、従来のパララックスバリア方式やレンチキュラー方式とは異なる方法として、本出願人が過去に出願した、特定の画線構成と複数のドットを重ね合わせることによってモアレによる文字を形成したり、特定の穿孔群同士のモアレによって特定のマークを形成したりして、モアレが有する独特の立体感の表現と動きのユニークさを、貴重印刷物における真偽判別要素として応用している（例えば、特許文献３、特許文献５参照）。【００１３】
以上のように、モアレを用いて表現できる画像は、単純な直線や曲線、又は四角や円等に制限されるものではなく、文字やマークといった複雑な形状を形成することが可能である。また、それらのモアレは、パララックスバリア方式やレンチキュラー方式のように透明層を挟んだり、レンズ効果を用いて形成したりした場合には、両眼視差に起因する遠近感を伴って観察できる。このようにモアレを用いた画線構成技術は、従来印刷物の品質異常として認識されていたモアレを、真偽判別要素や画像を変化させる技術として活用したものであり、モアレをユーザから隠す技術から判別要素として活用したり、あえてユーザに見せる意匠的な効果を持たせたりする技術である。
【先行技術文献】
【特許文献】
【００１４】
【特許文献１】特許第３１３１７７１号公報
【特許文献２】特開２００５−１９３５０１号公報
【特許文献３】特開２００７−２２３３０８号公報
【特許文献４】特許第２８０２４８４号公報
【特許文献５】特開２００５−２２５０５７号公報
【発明の概要】
【発明が解決しようとする課題】
【００１５】
しかし、特許文献１記載の技術は、パララックスバリア方式によって、立体的なモアレ模様を出現させる技術であるが、パララックスバリア方式を用いる以上、第１の模様と第２の模様の間には透明層が必須であり、スムーズな動画効果を実現するためには、その厚さも一般的な印刷物に許される厚さをはるかに超えるものとなるという問題がある。【００１６】
特許文献２記載の技術は、凸レンズのレンズ効果を利用した、いわゆるレンチキュラー方式で立体的なモアレ模様を出現させる技術であるが、特許文献１の技術と比較するとクリアなモアレ模様を形成できるという特徴を有するものの、レンズと模様間は、焦点を合わせるために一定の距離が必要であって、特許文献１の技術同様に厚さが必要であり、またレンズ自体は、透明か半透明である必要がある。加えて、レンズを貼り付ける場合、その工程は、複雑になる場合が多い。【００１７】
特許文献３に記載の技術は、光沢を有し、所定のピッチをもって配列した凸形状の画線の集合体である第一画像の上に、第一画像と異なる光沢の材料によって、第一画像とは異なるピッチで構成した第二画像を重ね合わせて、立体的なモアレ形成体を構成する技術である。特許文献１や特許文献２の技術と異なり、第一画像と第二画像は密着しており、透明層やレンズ層が必要なく、かつ、厚さも極めて薄く仕上がるものの、モアレ模様出現の原理は、凸形状画線や画素が正反射した場合に生じる明度の変化、いわゆる明暗フリップフロップを利用していることから、潜像画像は、凸形状画像が明るく光った場合と、光らなかった場合の明暗のコントラストのみで表現され、色相や彩度の変化、いわゆる色調の変化を付与することが不可能であった。【００１８】
また、動画的な効果を有し、立体的な画像を表示可能な技術としてはホログラムが公知であるが、その製造及び加工工程は複雑であり、印刷物と比較して極めて高価であるという問題がある。また、多くの場合アルミ蒸着膜を使用するため、その外観は、独特のメタリック調となり、色調が限定されるという問題があった。【００１９】
以上のように、動画的効果や立体的な視覚効果を備えるモアレを用いた画像は、透明層や厚さが必要であったり、色の表現が不可能又は限定的であったりあるいは高価である等の問題があった。【００２０】
本発明は、上記課題の解決を目的とするものであり、モアレ模様が動画的な視覚効果や立体的な視覚効果を伴って観察され、加えて豊かな色彩表現が可能な印刷物を、透明層やレンズ等の特殊な基材を必要とせずに、極めて薄く、また、安価に提供することを目的とする。また、特許文献１、３、４及び５記載の技術で出現するモアレ画像は、いずれも画像自体の変化が乏しいという欠点がある。例えば、モアレで出現する画像は、モアレ画像を形成するために必要となる二つの画像のうちのどちらか一方の画像を動かしたり、又は観察者が観察角度を変えたりすることによって、モアレ画像がゆるやかに動いて見えるものの、それらは、直線や曲線、文字やマーク等が単純に上下や左右に平行に移動するものがほとんどであり、多くの技術においては、モアレの位置は変化するものの、モアレ自体の形状が変化するものではない。【００２１】
本発明は、前述課題の解決を目的とするものであり、モアレを自在に制御する技術であって、具体的には、モアレを形成する一つ一つの画像要素をわずかずつに変化させることによってモアレ画像の動きの変化や形状の変化を制御し、画像間のピッチを調整することによって、モアレ画像に生じる歪みを最小限に抑え、かつ、モアレの遠近感や変化の早さを制御する技術であって、モアレ画像を生じさせるための画線や画素、マークや文字等の構成や配置に関する画線構成に関する画像形成体、真偽判別具及び真偽判別方法を提供する。
【課題を解決するための手段】
【００２２】
一定方向から光が入射する環境下において、盛り上がりを有した凸形状の構造物は、入射する光に対して法線を成す面を中心に光を強く正反射する。この凸形状の構造物がある程度の光の反射率を持つ場合には、正反射面は目視上、浮び上がった印象を与え、光が面に対して法線方向とならない部分は影となり、視認できなくなるか、目視上、面積が小さくなったかのような印象を与える。この効果は光沢のある凸形状の構造物を密接させ、凸形状の集合体を成した場合により一層高まる。【００２３】
例えば、一定のピッチで光沢のある凸形状の画線を連続して平行に配列し、この凸形状の平行画線に光を一定の入射方向から照射した場合、目視上はあたかも凸形状の画線すべての面が光を正反射しているかのごとく見える。また、この基材に対する光の入射方向を変えた場合でも、目視上は全面が単純に光を正反射しているかのごとく見えるが、実際には入射する光が法線方向になる面のみが選択的に光を正反射しており、その反射面はそれぞれ光の入射方向の位置に対応している。【００２４】
一方、光に対して一定の反射率を有する画線の上に、画線と比較して反射率の低いインキで画線内に画線を形成した場合、光に対する反射率の違いから画線はポジ画線として、低反射率のインキで形成した画線はネガ画線となり、正反射領域において、その相対的な反射特性の差異から画線はネガ画線として極めて鮮明に浮びあがる。【００２５】
この現象は、光を反射した場合に単に明度のみが変化する一般的な着色インキや、金色や銀色等のメタリックインキで画線を形成した場合と比較して、光を反射した場合に色調が変化する、例えば、パール顔料や液晶材料等のカラーフリップフロップ性を有する材料を用いて画線を形成した場合には、単なる明暗の差に色調の変化が加わるために、その視認性は、より一層向上するとともに、豊かな色彩の付与が可能となる。【００２６】
本発明は、以上のように、凸形状の画線や画素の集合において、入射光の角度に応じて光を強く正反射する面が変化する現象と、異なる材料の組合せによって正反射時に強い色彩の異なりが生じて強く浮かび上がる現象の二つの現象を利用する。【００２７】
すなわち、パール顔料や液晶材料等のカラーフリップフロップ性を備えた材料を用いて、所定のピッチの凸形状画線や凸形状画素の集合によって形成した第一の画像の上に、透明又は第一の画像を形成する材料の正反射時の色と異なる色彩の材料を用いて、第一の画像とわずかに異なるピッチで形成した第二の画像を用いて形成する。【００２８】
これによって、画像形成体に光が入射することで、凸形状の画線や画素の表面のうち、光と法線を成した表面のみが光を強く正反射するが、凸形状の画線や画素上にある第二の画像の有無に応じて、色彩の強弱が生じる。【００２９】
第一の画像と第二の画像はわずかに異なるピッチで形成されていることから、色彩の強弱は、一定の規則性を有したモアレ模様となって出現する。また、印刷物を傾けた場合、光の入射方向が変化することで、凸形状の画線表面における光の反射面が移動し、それに伴ってモアレ模様も動いて見える。【００３０】
本発明における画像形成体は、基材上に、第一の画像と第二の画像を有する画像形成体において、第一の画像は、カラーフリップフロップ性を備えた材料によって、規則的なピッチで複数配列された凸形状の第一の要素を有し、第二の画像は、透明又は第一の画像を正反射させたときの色と異なる色を有する材料によって、凸形状の第一の要素と異なる規則的なピッチで複数配列された第二の要素を有し、第二の要素を基材及び／又は第一の要素上に形成して成ることを特徴とする。【００３１】
本発明における画像形成体は、第一の要素が、凸形状の第一の画線であり、第二の要素が、第二の画線であることを特徴とする。【００３２】
本発明における画像形成体は、第一の要素が、凸形状の第一の画素であり、第二の要素が、第二の画素であることを特徴とする。【００３３】
本発明における画像形成体は、第一の画像又は第二の画像が、さらに第三の画像を含み、第一の画像が第三の画像を含む場合は、第三の画像における第三の要素のピッチは、第一の画像における第一の要素のピッチと異なり、第二の画像が第三の画像を含む場合は、第三の画像における第三の要素のピッチは、第二の画像における第二の要素のピッチと異なっていることを特徴とする。【００３４】
本発明における画像形成体は、第一の画像又は第二の画像が、複数の領域に分割されてなり、分割された複数の領域における、それぞれの第一の要素又は第二の要素は、ピッチが同一又は異なっていることを特徴とする。【００３５】
本発明における画像形成体は、第一の要素における規則的なピッチ又は第二の要素における規則的なピッチが、所定のピッチで複数配列されて成るか又は連続的に異なるピッチで複数配列されて成ることを特徴とする。【００３６】
本発明における画像形成体は、第一の画線、及び／又は第二の画線が、画線幅が同一又は部分的に異なることを特徴とする。【００３７】
本発明における画像形成体は、第一の画素、及び／又は第二の画素が、画素面積が同一又は異なることを特徴とする。【００３８】
本発明における画像形成体は、第二の画線が、第一の画線に対して平行又は所定の角度を有していることを特徴とする。【００３９】
本発明における画像形成体は、カラーフリップフロップ性を備えた材料が、鱗片状マイカ顔料、鱗片状金属顔料、ガラスフレーク顔料、コレステリック液晶顔料の少なくとも一つを含むことを特徴とする。本発明における画像形成体は、鱗片状マイカ顔料、鱗片状金属顔料、ガラスフレーク顔料又はコレステリック液晶顔料が、撥水及び撥油性の表面処理を施した、平面配向性を有する顔料であることを特徴とする。【００４０】
本発明における画像形成体は、第一基材と、第一基材の表面の少なくとも一部の領域に形成された第一画像を有し、第一画像は、第１の第一画像要素、第２の第一画像要素、・・・、第ｎ（ｎは２以上の自然数とする）の第一画像要素で構成される第一画像群が少なくとも一つ以上配置されて成り、第一画像群は、形状又は角度が各々異なる第一画像要素が、横方向、縦方向又は両方向に同じ縮率で圧縮され、かつ、第一画像要素同士が重ならないように、規則的な第一ピッチで連続的に配置されて成り、隣り合った第一画像要素同士の変化の度合いに規則性があることを特徴とする。【００４１】
本発明における画像形成体は、第一画像要素が、画線構造又は画素構造であることを特徴とする。【００４２】
本発明における画像形成体は、少なくとも一つ以上配置されて成る第一画像群のうちの一つの第一画像群における前記第一画像要素が、規則的な第一ピッチが、一定又は一定の割合で変化して成ることを特徴とする。【００４３】
本発明における画像形成体は、規則的な第一ピッチが、少なくとも二つ以上の第一画像群が配置されている場合に、各第一画像群のピッチがそれぞれ異なっていることを特徴とする。【００４４】
本発明における真偽判別具は、画像形成体の真偽判別を行う真偽判別具であって、第二基材と、第二基材の表面の少なくとも一部の領域に形成される第二画像を有し、第二画像は、第二画像要素で構成される第二画像群が少なくとも一つ以上配置されて成り、第二画像群は、第二画像要素が、規則的な第二ピッチで連続的に配置されて成り、第一画像における第一画像要素の第一ピッチと、第二画像における第二画像要素の第二ピッチが異なり、第一画像と第二画像が重なるように、第一基材と第二基材を重ね合わせて、モアレ画像を目視可能とすることを特徴とする。【００４５】
本発明における真偽判別具は、第二画像要素が、画線構造又は画素構造であることを特徴とする。【００４６】
本発明における真偽判別具は、規則的な第二ピッチが、ピッチが一定又はピッチが一定の割合で変化して成ることを特徴とする。【００４７】
本発明における真偽判別具は、規則的な第二ピッチが、少なくとも二つ以上の第二画像群が配置されている場合に、各第二画像群のピッチがそれぞれ異なっていることを特徴とする。【００４８】
本発明における真偽判別具は、第二基材が、透明又は半透明であることを特徴とする。【００４９】
本発明における真偽判別具は、第二基材が不透明、かつ、第二基材に形成されて成る第二画像が、第一画像における第一画像要素とは異なるピッチの画線構造又は画素構造の透過部分を有することを特徴とする。【００５０】
本発明における真偽判別方法は、画像形成体を真偽判別具により真偽判別を行う真偽判別方法であって、第一画像の第一ピッチの方向と第二画像の第二ピッチの方向が同じ方向で、第一画像と第二画像が重なるように、第一基材と第二基材を重ね合わせ、第一基材と第二基材を、第一画像における第一画像要素のピッチ方向及び第二画像における第二画像要素のピッチ方向を平行に動かし、モアレ画像が視認可能である場合に真正品であり、モアレ画像が視認不可能である場合に偽造品であると判別することを特徴とする。【００５１】
本発明における画像形成体は、第一画像と第二画像とを備える画像形成体であって、第一画像は、第１の第一画像要素、第２の第一画像要素、・・・、第ｎ（ｎは２以上の自然数とする）の第一画像要素で構成される第一画像群が少なくとも一つ以上配置されて成り、第一画像群は、形状又は角度が各々異なる第一画像要素が、横方向、縦方向又は両方向に同じ縮率で圧縮され、かつ、第一画像要素同士が重ならないように、規則的な第一ピッチで連続的に配置されて成り、隣り合った第一画像要素同士の変化の度合いに規則性があり、第二画像は、第二画像要素で構成される第二画像群を有し、第二画像群は、第二画像要素が、規則的な第二ピッチで連続的に配置されて成り、第一画像における第一画像要素の第一ピッチと、第二画像における第二画像要素の第二ピッチが異なり、第一画像は、第一基材の表面の少なくとも一部の領域に形成されてなり、第二画像は、第二基材の表面の少なくとも一部の領域に形成されてなり、第一画像の第一ピッチの方向と第二画像の第二ピッチの方向が同じ方向で、第一画像と第二画像が重なるように、第一基材と第二基材が積層されて成ることを特徴とする。【００５２】
本発明における画像形成体は、第一画像と第二画像とを備える画像形成体であって、第一画像は、第１の第一画像要素、第２の第一画像要素、・・・、第ｎ（ｎは２以上の自然数とする）の第一画像要素で構成される第一画像群が少なくとも一つ以上配置されて成り、第一画像群は、形状又は角度が各々異なる第一画像要素が、横方向、縦方向又は両方向に同じ縮率で圧縮され、かつ、第一画像要素同士が重ならないように、規則的な第一ピッチで連続的に配置されて成り、隣り合った第一画像要素同士の変化の度合いに規則性があり、第二画像は、第二画像要素で構成される第二画像群を有し、第二画像群は、第二画像要素が、規則的な第二ピッチで連続的に配置されて成り、第一画像における第一画像要素の第一ピッチと、第二画像における第二画像要素の第二ピッチが異なり、第一画像と第二画像のいずれか一方は、第一基材の表裏のいずれか一方の表面の少なくとも一部の領域に形成されて成り、第一画像と第二画像のもう一方は、第一基材の表裏のもう一方の表面の少なくとも一部の領域に、第一画像の第一ピッチの方向と第二画像の第二ピッチの方向が同じ方向で、かつ、第一基材に形成された第一画像に、第二基材の第二画像が形成されている反対側が重なるように形成されて成ることを特徴とする。【００５３】
本発明における画像形成体は、第一画像要素及び第二画像要素が、画線構造又は画素構造であることを特徴とする。【００５４】
本発明における画像形成体は、規則的な第一ピッチ及び規則的な第二ピッチが、ピッチが一定又はピッチが一定の割合で変化して成ることを特徴とする。【００５５】
本発明における画像形成体は、規則的な第一ピッチ及び規則的な第二ピッチが、少なくとも二つ以上の第一画像群が配置されている場合に、各第一画像群における前記第一画像要素のピッチがそれぞれ異なっていることを特徴とする。【００５６】
本発明における画像形成体は、第一基材及び／又は第二基材は、透明又は半透明であることを特徴とする。
【発明の効果】
【００５７】
本発明の画像形成体は、潜像画像に入射する光の角度の変化に応じてモアレ模様がゆるやかに動いて見える。【００５８】
本発明の画像形成体においては、極めて薄く形成が可能であり、透明層やレンズを必要せず、通常の紙を基材として市販される一般的な印刷材料だけで安価に形成することが可能である。【００５９】
本発明の画像形成体が、正反射領域において出現させるモアレ模様には、基材の色又は凸画線や画素の物体色、及び凸画線中のパールの干渉色が反映され豊かな色彩表現が可能である。【００６０】
本発明において、モアレ模様は、第一の画像又は第二の画像のピッチを調整することで、奥行き感及び手前感を容易に制御することが可能であり、画像により効果的な立体感を付与することが可能である。【００６１】
加えて、本発明は、ホログラムのようにメタリック調の色調に限定されるものではなく、凸形状の画線や基材の色は、無色を含め、あらゆる色に着色することが可能であることから、色相の選択性が極めて高く、印刷物の中に違和感無く配列すことが可能となる。これは、ホログラムとその効果が異なる大きな相違点である。また、本発明によって得られる画像形成体を用いることで、従来では不可能であったモアレ自体が変化し、動きを表すアニメーションを実現することが可能であり、加えて、わずかずつ変化するモアレ画像と両眼視差を有機的に融合させることによって、立体画像を表現することが可能である。【００６２】
本発明によって得られる画像形成体は、一方の干渉用の画線を重ねないで見た場合、単なる画線や画素の集合としてしか視認できず、モアレ画像の存在を確認することが不可能であることから、本発明の画像形成体をセキュリティ印刷物の背景の地紋模様に印刷し、必要に応じて干渉用画線が印刷されたフィルタやフィルム、又は特定の線数のレンチキュラーやマイクロレンズアレイ等を別に重ねあわせることで、出現したモアレ画像を確認し、真偽判別のための基準として用いることが可能である。【００６３】
また、上記のように干渉用の画線と別々に用いるのではなく、パララックスバリアやレンチキュラー印刷物のような一体化した印刷物として用いることで、干渉用の画線が印刷されたフィルタを保持していなくとも、単に印刷物を傾けて観察することで、変化するモアレを視認することができる。
【図面の簡単な説明】
【００６４】
【図１】（ａ）は、本発明の一実施の形態による画像形成体を構成する第一の画像の画線構成を示す。（ｂ）は、本発明の一実施の形態による画像形成体を構成する第二の画像の画線構成を示す。
【図２】（ａ）は、第一の画像と第二の画像の重ね合わせ位置を示す。（ｂ）は、（ａ）に示したＡ−Ａ’，断面を側面から観察した図を示す。
【図３】（ａ）は、一般的な銀インキの受光角度別のＬ＊，ａ＊，ｂ＊値を示す。（ｂ）は、カラーフリップフロップ性を備えた有色パールインキの受光角度別のＬ＊，ａ＊，ｂ＊値を示す。
【図４】カラーフリップフロップ性を備えた無色パールインキの受光角度別のＬ＊，ａ＊，ｂ＊値を示す。
【図５】本発明の一実施の形態における画像形成体の視認原理を示す。
【図６】実施例１における画像形成体を構成する第一の画像の画線構成を示す。
【図７】実施例１における画像形成体を構成する第二の画像の画線構成を示す。
【図８】（ａ）は、拡散反射光で実施例１の画像形成体を観察した場合に、視認される画像を示す。（ｂ）は、正反射光で実施例１の画像形成体を観察した場合に、視認される画像を示す。
【図９】（ａ）は、正反射光で画像形成体を観察する場合に、入射光に対して、光源側にわずかに傾けた場合に視認される画像を示し、（ｂ）は、正反射光で画像形成体を観察する場合に、入射光に対して、水平に観察した場合に、視認される画像を示し、（ｃ）は、正反射光で画像形成体を観察する場合に、入射光に対して、観察者側にわずかに傾けた場合に視認される画像を示す。
【図１０】本発明の一実施の形態における画像形成体の立体モアレ模様に遠近感が生じる原理を示す。
【図１１】実施例２における画像形成体を構成する第一の画像の画線構成を示す。
【図１２】実施例２における画像形成体を構成する第二の画像の画線構成を示す。
【図１３】（ａ）は、拡散反射光で実施例２の画像形成体を観察した場合に、視認される画像を示す。（ｂ）は、正反射光で実施例２の画像形成体を観察した場合に、視認される画像を示す。
【図１４】（ａ）は、正反射光で画像形成体を観察する場合に、入射光に対して、光源側にわずかに傾けた場合に視認される画像を示し、（ｂ）は、正反射光で画像形成体を観察する場合に、入射光に対して、水平に観察した場合に、視認される画像を示し、（ｃ）は、正反射光で画像形成体を観察する場合に、入射光に対して、観察者側にわずかに傾けた場合に視認される画像を示す。
【図１５】実施例３における画像形成体を構成する第一の画像の画線構成を示す。
【図１６】実施例３における第一の画像を形成したカラーフリップフロップ性を有する有色パールインキの受光角度別のＬ＊，ａ＊，ｂ＊値を示す。
【図１７】実施例３における画像形成体を構成する第二の画像の画線構成を示す。
【図１８】（ａ）は、拡散反射光で実施例３の画像形成体を観察した場合に、視認される画像を示す。（ｂ）は、正反射光で実施例３の画像形成体を観察した場合に、視認される画像を示す。
【図１９】実施例４における画像形成体を構成する第一の画像の画素構成を示す。
【図２０】実施例４における画像形成体を構成する第二の画像の画素構成を示す。
【図２１】（ａ）は、拡散反射光で実施例４の画像形成体を観察した場合に、視認される画像を示す。（ｂ）は、正反射光で実施例４の画像形成体を観察した場合に、視認される画像を示す。
【図２２】実施例５における画像形成体を構成する第一の画像の画線構成を示す。
【図２３】実施例５における画像形成体を構成する第二の画像の画線構成を示す。
【図２４】（ａ）、（ｂ）、（ｃ）は、図２３における各部分の拡大図を示す。
【図２５】本発明の一実施の形態における画像形成体の立体モアレが反転現象を起こす場合の原理について示す。
【図２６】（ａ）は、拡散反射光で実施例５の画像形成体を観察した場合に、視認される画像を示す。（ｂ）は、正反射光で実施例５の画像形成体を観察した場合に、視認される画像を示す。
【図２７】実施例６における画像形成体を構成する第一の画像の画線構成を示す。
【図２８】実施例６における画像形成体を構成する第二の画像の画線構成を示す。
【図２９】（ａ）は、拡散反射光で実施例６の画像形成体を観察した場合に、視認される画像を示す。（ｂ）は、正反射光で実施例６の画像形成体を観察した場合に、視認される画像を示す。
【図３０】実施例７における画像形成体を構成する（ａ）下地画像と、（ｂ）第一の画像の画線構成を示す。
【図３１】実施例７における画像形成体を構成する第二の画像の画線構成を示す。
【図３２】（ａ）は、図３１に示した第二の画像のうち、「Ｐ」のモアレ模様を形成する画像を示す。（ｂ）は、図３１に示した第二の画像のうち、「Ｊ」のモアレ模様を形成する画像を示す。
【図３３】（ａ）、（ｂ）は、図３２（ａ）における各部分の拡大図を示す。
【図３４】（ａ）、（ｂ）は、図３２（ｂ）における各部分の拡大図を示す。
【図３５】（ａ）は、拡散反射光で実施例７の画像形成体を観察した場合に、視認される画像を示す。（ｂ）は、正反射光で実施例７の画像形成体を観察した場合に、視認される画像を示す。
【図３６】実施例８における画像形成体を構成する第一の画像の画線構成を示す。
【図３７】（ａ）、（ｂ）は、図３６における各部分の拡大図を示す。
【図３８】実施例８における画像形成体を構成する第二の画像の画線構成を示す。
【図３９】（ａ）は拡散反射光で実施例８の画像形成体を観察した場合に、視認される画像を示す。（ｂ）は、正反射光で実施例８の画像形成体を観察した場合に、視認される画像を示す。
【図４０】（ａ）は、本発明の一実施の形態における画像形成体の第一画像の画線構成、（ｂ）は、第一画像を構成する第一画像要素を有する画像群を示す。
【図４１】（ａ）は、本発明の一実施の形態における第一画像を構成する第一画像要素が画線構造である場合の第一ピッチの基準、（ｂ）は、本発明の一実施の形態における第一画像を構成する第一画像要素が画素構造である場合の第一ピッチの基準を示す。
【図４２】本発明の一実施の形態における画像形成体の第二画像の画線構成を示す。
【図４３】（ａ）は、本発明の一実施の形態における画像形成体の判別型、（ｂ）は、一体型における積層型、（ｃ）は、一体型における表裏合成型を示す。
【図４４】（ａ）は、本発明の一実施の形態における第一画像と第二画像を重ね合わせた（判別型）構成、（ｂ）は、モアレ画像の観察方法、（ｃ）は、本発明の一実施の形態における第一画像と第二画像を接着した（一体型）構成、（ｄ）はモアレ画像の観察方法を示す。
【図４５】本発明の一実施の形態において視認されるモアレ画像を示す。
【図４６】（ａ）は、実施例９における画像形成体の第一画像の画線構成、（ｂ）は、第一画像を構成する第一画像要素を有する画像群を示す。
【図４７】実施例９における画像形成体の第二画像の画線構成を示す。
【図４８】（ａ）は、実施例９における第一画像と第二画像を重ね合わせた構成、（ｂ）は、モアレ画像の観察方法を示す。
【図４９】実施例９において視認されるモアレ画像を示す。
【図５０】（ａ）は、実施例１０における画像形成体の第一画像の画線構成、（ｂ）は、第一画像を構成する第一画像要素を有する画像群を示す。
【図５１】実施例１０における画像形成体の第二画像の画線構成を示す。
【図５２】（ａ）は、実施例１０における第一画像と第二画像を重ね合わせた構成、（ｂ）は、モアレ画像の観察方法を示す。
【図５３】実施例１０において視認されるモアレ画像を示す。
【図５４】（ａ）は、実施例１１における画像形成体の第一画像の画線構成、（ｂ）は、第一画像を構成する第一画像要素を有する画像群を示す。
【図５５】実施例１１における画像形成体の第二画像の画線構成を示す。
【図５６】（ａ）は、実施例１１における第一画像と第二画像を重ね合わせた構成、（ｂ）は、モアレ画像の観察方法を示す。
【図５７】実施例１１において視認されるモアレ画像を示す。
【図５８】実施例１２における画像形成体の第一画像を示す。
【図５９】実施例１２における画像形成体の第二画像を示す。
【図６０】（ａ）は実施例１２における第一画像と第二画像を重ね合わせた構成、（ｂ）はモアレ画像の観察方法を示す。
【図６１】実施例１２において視認されるモアレ画像を示す。
【図６２】（ａ）は、実施例１３における画像形成体の第一画像の画線構成、（ｂ）は、第一画像を構成する第一画像要素を有する画像群を示す。
【図６３】実施例１３における画像形成体の第二画像の画線構成を示す。
【図６４】（ａ）は、実施例１３における第一画像と第二画像を重ね合わせた構成、（ｂ）は、モアレ画像の観察方法を示す。
【図６５】実施例１３において視認されるモアレ画像を示す。
【図６６】（ａ）は、実施例１４における画像形成体の第一画像の画線構成、（ｂ）は、第一画像を構成する第一画像要素を有する画像群を示す。
【図６７】実施例１４におけるモアレ隠蔽画像の画線構成を示す。
【図６８】（ａ）は、実施例１４における第一画像と第二画像を重ね合わせた構成、（ｂ）は、モアレ画像の観察方法を示す。
【図６９】実施例１４において視認されるモアレ画像を示す。
【発明を実施するための形態】
【００６５】
本発明の一実施の形態における最も基本的な構造及び具体的な画線構成等について図を用いて説明する。本発明の一実施の形態による立体モアレにおける基本的な画線構成と効果を図１及び図２に示す。本発明の一実施の形態による立体モアレにおける凸形状画線を形成するインキの反射特性について図３から図４に示す。本発明の一実施の形態による立体モアレの視認原理を図５に示す。本発明の実施例１について図６から図１０に、本発明の実施例２について図１１から図１４に、本発明の実施例３について図１５から図１８に、本発明の実施例４について図１９から図２１に、本発明の実施例５について図２２から図２６に、本発明の実施例６について図２７から図２９に、本発明の実施例７について図３０から図３５に、本発明の実施例８について図３６から図３９にそれぞれ示す。
【００６６】
（要素構成）
まず、本発明の一実施の形態における立体モアレ画像を有する画像形成体の基本的な構成について、図１及び図２を用いて説明する。
【００６７】
本発明の一実施の形態における画像形成体は、複数の画像を画線又は画素による要素によって形成しているが、本発明を実施するための形態では、要素が画線の場合について説明することとする。
【００６８】
図１（ａ）に第一の画像（１）の画線構成を示す。第一の画像（１）は、凸形状の第一の画線（２）が複数配列されて形成されている。第一の画像（１）中の四角部分の拡大図に示すように、画線幅が均一な凸形状の第一の画線（２）が同一ピッチで配列されている。この第一の画像（１）は、虹彩色を有するパール顔料に、所定の着色顔料を加えたインキで、所定の高さの盛り上がりを有するように形成している。
【００６９】
また、図１（ｂ）に第二の画像（３）の画線構成を示す。第二の画像（３）は、第一の画像（１）とは異なるピッチの第二の画線（４）が複数配列されて形成されている。第二の画像（３）中の四角部分の拡大図に示すように、画線幅が均一で同一ピッチで配されている。この第二の画像（３）に用いるインキは、透明又は第一の画像（１）を正反射させて視認したときの色と異なる色によって形成する。正反射の範囲としては、基材に対しての光源（７）の入射角度と、光源（７）の反射角度が同じ場合の反射角度を０度とした場合、それより±１０度の範囲を正反射の範囲とする。本発明の一実施の形態の場合、１０度より多く傾けた範囲、つまり、拡散反射させて視認したときは、第二の画像（３）と第一の画像（１）の色は同一でも良い。
【００７０】
図２（ａ）は、第一の画像（１）と第二の画像（３）の重ね合わせの位置関係を示したものであり、基材（５）の上に、第一の画像（１）を形成したのち、第一画像（１）上に第二の画像（３）を形成し、本発明の一実施の形態による画像形成体（６）を作製する。図２（ｂ）は、画像形成体（６）を、図２（ａ）に示したＡ−Ａ´線において分断した場合に観察できる図を示している。基材（５）の上に盛り上がりのある凸形状の第一の画線（２）で構成された第一の画像（１）が形成され、その上に直接第二の画線（４）で構成された第二の画像（３）が形成されている。
【００７１】
第二の画線（４）のピッチは、凸形状の第一の画線（２）のピッチに対して１００％を除くピッチで構成されている。１００％ピッチで構成した場合、モアレが発生せず、本発明の一実施の形態による効果が得られない。本発明の一実施の形態による効果である立体モアレを、観察者がはっきりと視認できるようにするためには、第二の画線（４）のピッチを、凸形状の第一の画線（２）のピッチに対して８０％〜１２０％のピッチで構成することが、より好ましい。
【００７２】
また、第二の画線（４）は凸形状の第一の画線（２）に対して平行でも良く又は所定の角度を有していても良い。所定の角度とは、１０度を超えない範囲が好ましい。ただし、この角度は、第一の画線のピッチと第二の画線のピッチに由来するものであり、本発明の一実施の形態におけるモアレの効果が現れる角度に設定するものである。
【００７３】
また、第一の画像（１）又は第二の画像（３）は、別の第三の画像を含んでいても良く、第一の画像が第三の画像を含む場合は、第一の画像（１）におけるピッチと第三の画像におけるピッチを異ならせたり、さらに、第三の画像に輪郭を設けたりすることで、それぞれの画像の視認性を向上させ、第二の画像が第三の画像を含む場合は、第二の画像（３）におけるピッチと第三の画像におけるピッチを異ならせたり、さらに、第三の画像に輪郭を設けたりすることで、それぞれの画像の視認性を向上させる。
【００７４】
また、第一の画像（１）又は第二の画像（３）を複数の領域に分割し、分割した領域における、それぞれの第一の画線（２）又は第二の画線（４）のピッチを異ならせることも可能である。例えば、第二の画像（３）を横方向（上部、中部、下部）の三つの領域に分割した場合、「上部」の領域の画線ピッチと、「中部」の領域の画線ピッチと、「下部」の画線ピッチを、第一の画像（１）における画線ピッチと異ならせ、かつ、それぞれの画線ピッチも異ならせることで、三種類の遠近感を持った立体的な画像形成体が作製できる。
【００７５】
また、第一の画像（１）における第一の画線（２）のピッチ及び第二の画像（３）における第二の画線（４）のピッチは、規則的に配列されたピッチであれば良い。規則的に配列されたピッチとは、一定のピッチで複数配列されているか又は連続的に異なるピッチで規則性を持って配列されているかである。連続的に異なるピッチで規則性を持って配列されたピッチとは、例えば、画像の中心から端部に渡ってピッチを連続的に広くしたり、逆に、画像の中心から端部に渡ってピッチを連続的に狭くしたりすることである。
【００７６】
また、第一の画線（２）の画線幅及び第二の画線（４）の画線幅は、均一でも良く、さらに、画線幅の一部分を変更することによって、変更部分に有意味情報を持たせることも可能である。
【００７７】
また、本発明の一実施の形態を構成する上で、凸形状の第一の画線は、カラーフリップフロップ性を備えている必要がある。カラーフリップフロップ性とは、先に述べた特許文献３のような一般的なグロスインキ、金インキ及び銀インキ等が有する光を反射した場合に、明度のみが変化する明暗フリップフロップ性とは異なり、光を反射した場合に明度だけでなく、色相や彩度が大きく変化する効果のことである。
【００７８】
この特性の違いを明らかにするために、図３（ａ）に、一般的な明暗フリップフロップ性のみを備えたインキの光学特性と、図３（ｂ）に、カラーフリップフロップ性を備えたインキの光学特性について示す。
【００７９】
図３（ａ）は、一般的な銀インキを用いて網点面積率１００％のベタ印刷サンプルをＵＶ乾燥のオフセット印刷方式で形成し、このベタ印刷サンプルのＬ＊，ａ＊，ｂ＊の値を、変角分光測色システムＧＣＭＳ−４型〔村上色彩技術研究所製〕を使用して、入射光の角度は４５°で固定して受光角度を−２０°から８０°にかけて測定したものである。図３（ａ）中の（１１）は銀インキで形成した印刷物のＬ＊を示し、（１２）は銀インキで形成した印刷物のａ＊示し、（１３）は銀インキで形成した印刷物のｂ＊を示している。
【００８０】
図３（ｂ）は、虹彩色パール顔料に着色顔料を混合して形成したインキ（以下「着色パールインキ」と記載する。）を用いて、網点面積率１００％のベタ印刷サンプルをＵＶ乾燥のスクリーン印刷方式で形成し、このベタ印刷サンプルのＬ＊，ａ＊，ｂ＊の値を、変角分光測色システムＧＣＭＳ−４型〔村上色彩技術研究所製〕を使用して、入射光の角度は４５°で固定して、受光角度を−２０°から８０°にかけて測定したものである。図３（ｂ）中の（１１´´）は、着色パールインキで形成した印刷物のＬ＊を示し、（１２´´）は、着色パールインキで形成した印刷物のａ＊示し、（１３´´）は、着色パールインキで形成した印刷物のｂ＊を示している。
【００８１】
図３（ａ）と図３（ｂ）のグラフを比較すると、グラフ間ではａ＊値とｂ＊値の変化の割合が異なり、図３（ａ）の銀インキのａ＊値（１２）とｂ＊値（１３）の変化と比較して、図３（ｂ）の着色パールインキのａ＊値（１２´´）とｂ＊値（１３´´）の変化がはるかに大きく、明暗フリップフロップ性しか有してない銀インキでは、拡散反射光が支配的な観察角度（受光角度０度近傍）から正反射光が支配的な観察角度（受光角度４５度近傍）にかけて、色調はほとんど変化せず、明度のみが変化しているが、カラーフリップフロップ性を有したパール顔料を含んだインキでは、拡散反射光が支配的な観察角度（受光角度０度近傍）から正反射光が支配的な観察角度（受光角度４５度近傍）にかけて、ａ＊値及びｂ＊値、すなわち色調も大きく変化している。よって、カラーフリップフロップ性に優れた顔料を含んだインキを用いて凸形状の画線を形成することで、モアレ模様が出現する正反射光が支配的な角度の観察において、色彩豊かな表現が可能となる。
【００８２】
ここで言う、正反射光が支配的な角度とは、基材に対しての光源（７）の入射角度と、光源（７）の反射角度が、ほぼ同じ角度のことであり、拡散反射光が支配的な角度とは、基材に対しての光源（７）の入射角度と、光源（７）の反射角度が大きく異なる角度のことである。光源（７）の反射角度がほぼ同じ角度とは、基材に対しての光源（７）の入射角度と、光源（７）の反射角度が同じ場合の反射角度を０度とした場合、±１０度の範囲のことであり、それ以外の範囲の角度になると、拡散反射光が支配的な角度となる。
【００８３】
このカラーフリップフロップ性を備えた顔料としては、鱗片状マイカ顔料、鱗片状金属顔料、ガラスフレーク顔料及びコレステリック液晶顔料等が公知であり、多数のメーカから様々な反射特性の顔料が販売されている。カラーフリップフロップ性に優れた顔料は、さまざまな種類が存在するが、本発明の一実施の形態に用いる材料は、特に拡散反射光領域から正反射領域にかけての色彩が大きく変化する特性を有することが特に望ましい。
【００８４】
本実施の形態では、虹彩色パール顔料と微量の着色顔料を混合した着色パールインキを用いて、カラーフリップフロップ性に特に優れた特性を作り出すことによって、潜像の視認性を高める効果を得ている。虹彩色パール顔料は、顔料自体は実体色を有さず、正反射領域でのみ干渉色を生じさせることが可能なパール顔料であり、現在、多数のメーカから多種多様な顔料が販売されている。正反射領域における色調は、希望に応じてほぼ自由に選択することが可能である。
【００８５】
また、本実施の形態では着色パールインキを用いているが、この場合、立体モアレを有する画像形成体には、正反射光で出現するモアレ模様とその背景を含めた潜像画像には、着色顔料の色とパールの干渉色が同時に反映されて視認される。
【００８６】
以上のように、正反射が支配的な角度で観察される画像に高い視認性と豊かな色彩を付与することが可能となった。
【００８７】
（インキにおけるその他の形態）
本実施の形態においては、拡散反射光が支配的な角度で観察した場合に、画像形成体が着色顔料の色で視認される構成としたが、顧客が、拡散反射光では視認されないデザインを望む場合には、着色顔料を混合せず虹彩色パール顔料のみを配合したインキ（以下「無色パールインキ」と記載する。）で第一の画像を形成してもよい。無色パールインキのインキ特性について図４に示す。（１１´）は、無色パールインキで形成した印刷物のＬ＊を示し、（１２´）は、無色パールインキで形成した印刷物のａ＊を示し、（１３´）は、無色パールインキで形成した印刷物のｂ＊を示している。
【００８８】
無色パールインキにおいても、図３（ｂ）に示した着色パールインキのインキ特性と同様、正反射光が支配的な角度の観察におけるＬ＊（１１´）値、ａ＊（１２´）値、ｂ＊（１３´）値は近い値となることから、虹彩色パール顔料を含んでいれば、正反射光が支配的な角度の観察では、パール顔料の干渉色が損なわれることはない。
【００８９】
このように無色パールインキで画像形成体を形成する場合、拡散反射光では画像形成体は透明であって視認されず、正反射光ではモアレ模様は基材（５）の色が主体色となり、それ以外の背景にはパールの干渉色が主体色となって視認される。
【００９０】
この無色パールインキで第一の画像を形成する形態においては、基材（５）が一般的な白色である場合、モアレ模様は、基材（５）の拡散反射時の色相、すなわち白から灰色で視認される。
【００９１】
なお、無色パールインキを用いて、白や灰色以外の色でモアレ模様を表現したい場合には、基材（５）に異なる色をつければよい。具体的には、好みの色を有した基材（５）を選ぶことも可能であるし、第一の画像を形成する前に、基材（５）に異なる色で印刷しても良い。
【００９２】
凸形状の画線を形成するインキについては、顧客が要求する拡散反射光が支配的な角度での観察画像と、正反射光が支配的な角度での観察画像のデザインに応じて着色顔料を配合するか否かを決定する必要があり、また必要に応じてあらかじめ基材（５）に異なる色で下刷りを施す等の工夫によって、より自由度の高い色彩表現が可能である。
【００９３】
凸形状の画線に着色顔料を配合する場合や、あらかじめ着色顔料で第一の画像を印刷する前に基材に下刷りを施す場合、この着色顔料の色と虹彩色パール顔料の色を補色の関係か、それに近い関係にした場合に、色彩豊かな表現が可能であり、着色顔料の色を黒色に近い色にした場合には、潜像の視認性は高く保てるとともに、正反射領域でのパールの干渉色は鮮やかに感じられることから、これらはいずれも好ましい形態となる。
【００９４】
（パール顔料の処理）
より一層のパール顔料の干渉効果を望む場合には、鱗片状顔料の配向性（リーフィング効果）を向上させるために、盛り上がっている線画の表面で顔料が、配向するような処理を施したパール顔料を用いることが望ましい。撥水及び撥油性処理等の表面処理を行うことで、印刷部の画線表面で顔料を配向させることができ、正反射光によるパールの干渉色をより鮮やかに出現させることが可能となる。本明細書に記載の虹彩色パール顔料には市販の顔料に対して、すべてこの表面処理を行っている。
【００９５】
二酸化チタンでコーティングしたマイカを更に有色酸化金属でコーティングするか又はマイカを直接有色酸化金属でコーティングすることで、パール顔料自体を着色した二色性パール顔料や、正反射領域近傍で色相が大きく変化する特殊なパール顔料も近年いくつかのメーカから販売されており、これらのカラーフリップフロップ性に優れた顔料を用いて凸形状の画線を形成することで、同様に立体モアレを有する画像形成体を形成することが可能であることはいうまでもない。
【００９６】
（パール顔料の大きさ）
カラーフリップフロップ性を発揮するためには顔料粒径は必然的に大きくなる傾向にあり、特に優れたカラーフリップフロップ性を備えた顔料は、多くの場合、５〜１５μｍ程度の平均粒径となる。
【００９７】
（視認状態とその原理）
本発明の一実施の形態における画像形成体の視認状態とその原理について、図５に示す視認原理を用いて説明する。
【００９８】
図５（ａ）は、第一の画像における凸形状の画線（２）の上に、第二の画像となる第二の画線（４）が形成されている状態における一本の画線の拡大図である。第一の画線は、虹彩色パール顔料が上部に、着色顔料が下部に存在する。拡散反射光が支配的な角度で本発明の一実施の形態による画像形成体（６）を観察した場合、第二の画線は、透明なＯＰニスで形成されているため視認できない。また、第一の画線の虹彩色パール顔料は正反射の時に視認でき、干渉しないと視認できないような構造となっている。そのため、着色顔料のみが視認できる。拡散反射光が支配的な角度とは、基材に対しての光源（７）の入射角度と、光源（７）の反射角度が大きく異なる角度であり、例えば、図５（ａ）の観察図が示すように、光源（７）の入射角度が４５度で受光角度が０度の場合、観察者の視点（８）は画像形成体（６）を拡散反射光が支配的な角度で観察していることになる。
【００９９】
図５（ｂ）に示すように、正反射が支配的な角度で本発明の一実施の形態による画像形成体（６）を観察した場合、第二の画線の透明なＯＰニスが第一の画線上に形成されていない部分は、第一の画線の虹彩色パール顔料が正反射してパール顔料の干渉色で視認されるが、第二の画線の透明なＯＰニスが第一の画線上に形成されている部分は、第一の画線の虹彩色パール顔料に対して入射しようとする光が減衰及び散乱することでのパール顔料の干渉を阻害し、着色顔料の色で視認される。以上の現象によって、第二の画像がパールの干渉色と着色顔料の色の二色に彩られたモアレ模様（９）と背景（１０）が視認できる。正反射光が支配的な角度とは、基材に対しての光源（７）の入射角度と、光源（７）の反射角度が、ほぼ同じ角度であり、光源（７）の入射角度が４５度で受光角度が同じく４５度の場合、観察者は、画像形成体（６）を正反射光が支配的な角度で観察していることになる。
【０１００】
（印刷方式）
本発明の一実施の形態の凸形状の画線は、一定の盛り上がりが必要であることも考慮すると、この特殊な顔料を印刷する方式は、顔料粒径に対する許容が広く、盛り上がりのある画線を形成可能なスクリーン印刷方式が最も好ましい印刷方式である。逆に、第二の画像を形成するための印刷方式については、オフセット印刷方式、グラビア印刷方式、フレキソ印刷方式、凹版印刷方式、凸版印刷方式及びスクリーン印刷方式等、あらゆる印刷方式で形成することが可能であるだけでなく、レーザプリンタや昇華型プリンタ等のプリンタやＹＶＯ４やＣＯ２レーザマーカー等によっても形成が可能である。特にプリンタやレーザマーカーを用いた場合には印刷物一枚一枚に異なる情報を付与する、いわゆる可変情報の付与が可能となる。
【０１０１】
以下、前述の発明を実施するための形態にしたがって、具体的に作成した画像形成体の実施例について詳細に説明するが、本発明は、この実施例に限定されるものではない。
【実施例１】
【０１０２】
図６に第一の画像（１ａ）の画線構成を示す。第一の画像（１ａ）は、凸形状の第一の画線（２ａ）が複数配列されて形成されている。第一の画像（１ａ）中の四角部分の拡大図に示すように、画線幅０．３ｍｍの凸形状の第一の画線（２ａ）がピッチ０．４ｍｍで配列されている。この第一の画像（１ａ）は、表１に示すインキで形成する。このインキは、金色の干渉色を有するパール顔料に、黒色の着色顔料を加えたスクリーンインキであり、ＵＶ乾燥方式のスクリーン印刷を行うことで、高さ約１０μｍの盛り上がりを有する凸形状の画線を形成している。【０１０３】
【表１】
2009139396.tif 000003
【０１０４】
図７に第二の画像（３ａ）の画線構成を示す。第二の画像（３ａ）は、第一の画像（１ａ）とは異なるピッチの第二の画線（４ａ）が複数配列されて形成されている。第二の画像（３ａ）中の四角部分の拡大図に示すように、画線幅０．１ｍｍの第二の画線（４ａ）がピッチ０．３６ｍｍで配列されている。この第二の画像（３ａ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ａ）の上に重ね合わせて本発明の一実施の形態による画像形成体（６ａ）を作製する。【０１０５】
このようにして作製された画像形成体（６ａ）の効果について、図８を用いて説明する。図８（ａ）は、光源（７）と観察者の視点（８）の関係を、拡散反射光が支配的な角度で本発明の一実施の形態による画像形成体（６ａ）を観察した場合に視認される画像を示している。この場合には、第一の画像のみが視認される。このとき視認される第一の画像の色彩は、表１で示したインキ中の着色顔料の色である黒色である。【０１０６】
図８（ｂ）は、光源（７）と観察者の視点（８）の関係を、正反射光が支配的な角度で本発明の一実施の形態による画像形成体（６）を観察した場合に、視認される画像を示している。この場合には、第二の画像がパールの干渉色（金色）と着色顔料の色（黒色）の二色に彩られた図８（ｂ）に示すようなモアレ模様（９ａ）が視認できる。【０１０７】
また、図９（ａ）、図９（ｂ）及び図９（ｃ）に正反射光が支配的な角度範囲（この例においては、受光角度４０度から５０度）内で、画像形成体（６ａ）を傾けて観察した場合に視認されるモアレ模様（９ａ）の動きについて示す。図９（ａ）は、画像形成体（６ａ）を、光源（７）側に約３度傾けて観察した場合に視認されるモアレ模様（９ａ）を示し、図９（ｂ）は、画像形成体（６ａ）を、水平に観察した場合に視認されるモアレ模様（９ａ）を示し、図９（ｃ）は、画像形成体（６ａ）を、観察者側に約３度傾けて観察した場合に視認されるモアレ模様（９ａ）を示している。それぞれの観察角度の違いによって、画像形成体（６ａ）のモアレ模様（９ａ）の位置が変化して観察される。【０１０８】
また、この画像形成体（６ａ）におけるモアレ模様（９ａ）は、図１０のように第一の画像のスリットが観察者の両眼を結んだラインと直交するような位置関係で観察した場合、右眼でとらえるモアレ模様（９ａ）と左眼でとらえるモアレ模様（９ａ）の位相がわずかに異なって見え、両眼視差によってモアレ模様（９ａ）に遠近感が生じる。この第一の画像における凸形状の第一の画線のピッチより、第二の画像における第二の画線のピッチが小さい例においては、モアレ模様（９ａ）は手前に結像することから、基材（５ａ）を基準にした場合に、より観察者に近く存在しているように観察される。このとき、モアレ模様（９ａ）は、表１で示したインキ中の着色顔料の色である黒色で視認され、その他のモアレ模様（９ａ）が発生していない背景は、表１で示したインキ中のパール顔料の干渉色である金色で視認される。【０１０９】
一方、第一の画像における凸形状の第一の画線のピッチより、第二の画像における第二の画線のピッチが大きい場合においては、モアレ模様（９ａ）は奥に結像することから、基材（５ａ）を基準にした場合に、より観察者から遠く存在しているように観察される。
【実施例２】
【０１１０】
第二の画像における画線を、第一の画像における画線に対して斜めに傾けて配列した例について説明する。【０１１１】
図１１に第一の画像（１ｂ）の画線構成を示す。第一の画像（１ｂ）は、凸形状の第一の画線（２ｂ）が複数配列されて形成されている。第一の画像（１ｂ）中の四角部分の拡大図に示すように、画線幅０．３ｍｍの凸形状の第一の画線（２ｂ）がピッチ０．４ｍｍで配列されている。この第一の画像（１ｂ）は、表１に示すインキで形成する。このインキは金色の干渉色を有するパール顔料に、黒色の着色顔料を加えたスクリーンインキであり、ＵＶ乾燥方式のスクリーン印刷を行うことで、高さ約１０μｍの盛り上がりを有する凸形状の画線を形成している。【０１１２】
図１２に第二の画像（３ｂ）の画線構成を示す。第二の画像（３ｂ）は、第一の画像（１ｂ）とは異なるピッチの第二の画線（４ｂ）が複数配列されて形成されている。第二の画像（３ｂ）中の四角部分の拡大図に示すように、画線幅０．１ｍｍの画線（３ｂ）がピッチ０．３６ｍｍで、凸形状の第一の画線（２ｂ）に対して５度傾けて配列されている。この第二の画像（３ｂ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｂ）の上に重ね合わせて本発明の一実施の形態による画像形成体（６ｂ）を作製する。【０１１３】
図１３（ａ）は、拡散反射光が支配的な角度で本発明の一実施の形態による画像形成体（６ｂ）を観察した場合に、視認される画像を示している。この場合、第一の画像のみが視認される。このとき視認される第一の画像の色彩は、表１で示したインキ中の着色顔料の色である黒色となる。【０１１４】
図１３（ｂ）は、正反射光が支配的な角度で本発明の一実施の形態による画像形成体（６ｂ）を観察した場合に、視認される画像を示している。この場合、第一の画像と第二の画像が干渉して発生したモアレ模様（９ｂ）が視認される。また、前述した図１０における原理により、モアレ模様（９ｂ）は、基材（５ｂ）を基準にした場合に、より観察者に近く存在しているように観察される。このとき、モアレ模様（９ｂ）は、表１で示したインキ中の着色顔料の色である黒色で視認され、その他のモアレ模様（９ｂ）が発生していない背景（１０ｂ）は、表１で示したインキ中のパール顔料の干渉色である金色で視認される。【０１１５】
また、図１４（ａ）、図１４（ｂ）及び図１４（ｃ）に正反射光が支配的な角度範囲（この例においては、受光角度４０度から５０度）内で、画像形成体（６ｂ）を傾けて観察した場合に視認されるモアレ模様（９ｂ）の動きについて示す。図１４（ａ）は、画像形成体（６ｂ）を、光源（７）側に約３度傾けて観察した場合に視認されるモアレ模様（９ｂ）を示し、図１４（ｂ）は、画像形成体（６ｂ）を、水平に観察した場合に視認されるモアレ模様（９ｂ）を示し、図１４（ｃ）は、画像形成体（６ｂ）を、観察者側に約３度傾けて観察した場合に視認されるモアレ模様（９ｂ）を示している。それぞれの観察角度の違いによって、画像形成体（６ｂ）のモアレ模様（９ｂ）の位置が変化して観察される。【０１１６】
この実施の形態において、図１１に示した第一の画像（１ｂ）を形成する凸形状の第一の画線（２ｂ）のピッチは、０．４ｍｍであり、図１２に示した第二の画像（３ｂ）を形成する第二の画線（４ｂ）のピッチは０．３６ｍｍである。この場合、二つの画線の干渉によって約３．６ｍｍ間隔でモアレが発生する。モアレが発生する間隔は、二つのピッチの差に起因するものであり、第一の画像（１ｂ）を形成する凸形状の第一の画線（２ｂ）のピッチと第二の画像（３ｂ）を形成する第二の画線（４ｂ）のピッチの差が小さければ小さいほど、発生するモアレ模様（９ｂ）同士の間隔は大きくなる。【０１１７】
モアレ模様（９ｂ）の傾きは、二つの画線の傾きの違いより大きくなる。また、第一の画像（１ｂ）を形成する凸形状の第一の画線（２ｂ）のピッチに対して、第二の画像（３ｂ）を形成する第二の画線（４ｂ）のピッチを小さく構成した場合、前述した図１０における原理により、発生するモアレ模様（９ｂ）は、基材（５ｂ）よりも手前側に感じられ、第一の画像（１ｂ）を形成する凸形状の第一の画線（２ｂ）のピッチに対して、第二の画像（３ｂ）を形成する第二の画線（４ｂ）のピッチを大きく構成した場合、発生するモアレ模様（９ｂ）は、基材（５ｂ）よりも奥側に感じられる。第一の画像（１ｂ）を形成する凸形状の第一の画線（２ｂ）のピッチと第二の画像（３ｂ）を形成する第二の画線（４ｂ）のピッチが近ければ近いほど、発生するモアレ模様（９ｂ）同士の間隔は大きくなり、かつ、遠近感も大きくなり、加えて正反射光が支配的な角度内で画像形成体（６ｂ）を傾けた場合のモアレ模様（９ｂ）の動きは大きくなる。
【実施例３】
【０１１８】
第二の画像を、第一の画像のピッチよりも大きなピッチで形成した領域と、第一の画像のピッチよりも小さなピッチで形成した領域との、二つの異なるピッチを備えた形態とし、二種類の遠近感の異なるモアレ模様を出現させる、より立体感に優れた視覚効果を実現した例について説明する。【０１１９】
図１５に第一の画像（１ｃ）の画線構成を示す。第一の画像（１ｃ）は、凸形状の第一の画線（２ｃ）が複数配列されて形成されている。第一の画像（１ｃ）中の四角部分の拡大図に示すように、画線幅０．３ｍｍの凸形状の第一の画線（２ｃ）がピッチ０．４ｍｍで配列されている。この第一の画像（１ｃ）は、表２に示すインキを用いて、ＵＶ乾燥方式のスクリーン印刷によって、高さ約１０μｍの凸形状の画線で形成する。【０１２０】
【表２】
2009139396.tif 000004
【０１２１】
前述のインキにおける物体色は無色であって、干渉色が金色の虹彩色パール顔料と、青色の着色顔料を混合して作製した着色パールインキは、拡散反射光で観察した場合には、青色に認識されるが、正反射させた場合には、青色から金色へと鮮やかに色相が変化する、優れたカラーフリップフロップ性を有する。【０１２２】
図１６は、表２に示したインキで網点面積率１００％のベタ印刷サンプルをＵＶ乾燥のスクリーン印刷方式で形成し、このベタ印刷サンプルのＬ＊，ａ＊，ｂ＊の値を、変角分光測色システムＧＣＭＳ−４型〔村上色彩技術研究所製〕を使用して、入射光の角度は４５°に固定して受光角度を−２０°から８０°にかけて測定した結果である。（１１´´´）は、着色パールインキで形成した印刷物のＬ＊を示し、（１２´´´）は、着色パールインキで形成した印刷物のａ＊を示し、（１３´´´）は、着色パールインキで形成した印刷物のｂ＊を示している。【０１２３】
図１６のグラフから、着色パールインキの拡散反射光が支配的な観察角度領域から正反射光が支配的な観察角度領域においては、極めて大きな色調の変化が生じており、本インキも極めてカラーフリップフロップ性に優れていることが確認できる。【０１２４】
図１７に第二の画像（３ｃ）の画線構成を示す。第二の画像（３ｃ）は、第一の画像（１ｃ）を形成する凸形状の第一の画線（２ｃ）のピッチより大きなピッチの第二の画線（４ｃ）が複数配列された領域と、第一の画像（１ｃ）を形成する凸形状の第一の画線（２ｃ）のピッチより小さなピッチの第二の画線（４ｃ´）が複数配列された第三の画像「ＪＰＮ」を形成している領域と、第三の画像「ＪＰＮ」の輪郭を形成している領域とで形成されている。第二の画像（３ｃ）中の四角部分の拡大図に示すように、画線幅０．１ｍｍの第二の画線（４ｃ）がピッチ０．４４ｍｍで、凸形状の第一の画線（２ｃ）に対して＋５度及び−５度ずつ傾けた二つの画線で形成された領域と、画線幅０．１ｍｍの第二の画線（４ｃ´）がピッチ０．３６ｍｍで、凸形状の第一の画線（２ｃ）に対して＋５度及び−５度ずつ傾けた二つの画線で形成された領域と、第三の画像である「ＪＰＮ」の輪郭を形成している領域（白抜き部分と黒塗り部分）とで形成している。第二の画像（３ｃ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｃ）の上に重ね合わせて本発明の一実施の形態による画像形成体（６ｃ）を作製する。【０１２５】
このようにして作製された画像形成体（６ｃ）の効果について、図１８を用いて説明する。図１８（ａ）は、光源（７）と観察者の視点（８）の関係を、拡散反射光が支配的な角度で本発明の一実施の形態による画像形成体（６ｃ）を観察した場合に視認される画像を示している。この場合には、第一の画像のみが視認される。このとき視認される第一の画像の色彩は、表２で示したインキ中の着色顔料の色である青色である。【０１２６】
図１８（ｂ）は、光源（７）と観察者の視点（８）の関係を、正反射光が支配的な角度で本発明の一実施の形態による画像形成体（６ｃ）を観察した場合に、視認される画像を示している。この場合には、第一の画像（１ｃ）と第二の画像（３ｃ）が干渉して発生した二種類のモアレ模様（９ｃ、９ｃ´）と、第三の画像である領域（「ＪＰＮ」の輪郭を形成している領域）が視認される。【０１２７】
前述した図１０における原理により、「ＪＰＮ」の文字内部に出現するモアレ模様（９ｃ´）は、基材（５ｃ）や「ＪＰＮ」の輪郭を形成している白抜きと黒塗りの領域を基準にした場合に、より観察者に近く存在しているように観察され、「ＪＰＮ」の文字の外側に出現するモアレ模様（９ｃ）は、基材（５ｃ）や「ＪＰＮ」の輪郭を形成している白抜きと黒塗りの領域を基準にした場合に、より観察者から遠くに存在しているように観察される。【０１２８】
一つの画像中に、基材（５ｃ）と同じ位置に存在しているように見える「ＪＰＮ」の輪郭を形成している領域と、基材より近くに存在しているかのように観察される「ＪＰＮ」の文字内部に出現するモアレ模様（９ｃ´）と、基材より遠くに存在しているかのように観察される「ＪＰＮ」の文字外側に出現するモアレ模様（９ｃ）とが出現することによって、実施の形態で説明した一つのモアレ模様によって遠近感を表現した形態と比較して、それぞれの領域や模様が作り出す相対的な遠近感がより強調され、立体感が強まる。【０１２９】
このとき、モアレ模様（９ｃ、９ｃ´）及び「ＪＰＮ」の輪郭を形成している黒塗り部は、表２で示したインキ中の着色顔料の色である青色で視認され、モアレ模様（９ｃ、９ｃ´）が発生していない背景（１０ｃ）と「ＪＰＮ」の輪郭を形成している白抜き部は、表２で示したインキ中のパール顔料の干渉色である金色で視認される。【０１３０】
また、画像形成体（６ｃ）を左右に傾けた場合には、「ＪＰＮ」の文字の外側に出現するモアレ模様（９ｃ）と「ＪＰＮ」の文字内部に出現するモアレ模様（９ｃ´）が、お互いに異なる方向にゆるやかに動いて見える。
【実施例４】
【０１３１】
以下に、第一の画像及び第二の画像を、画線ではなく、画素の形態で形成した例について説明する。【０１３２】
図１９に第一の画像（１ｄ）の画素構成を示す。第一の画像（１ｄ）は、凸形状の第一の画素（２ｄ）が同一の形状及び同一の画素面積で複数マトリクス状に形成されている。第一の画像（１ｄ）中の四角部分の拡大図に示すように、０．４ｍｍ×０．４ｍｍの凸形状における第一の画素（２ｄ）がピッチ０．５ｍｍでマトリクス状に配列されている。この第一の画像（１ｄ）は、表１に示したインキを用いて、ＵＶ乾燥方式のスクリーン印刷によって高さ約１０μｍの凸形状の画素で形成する。【０１３３】
図２０に第二の画像（３ｄ）の画線構成を示す。第二の画像（３ｄ）は、第一の画像（１ｄ）を形成する凸形状の第一の画素（２ｄ）のピッチより小さなピッチの第二の画素（４ｄ）が複数配列された領域と、第三の画像である「ＮＰＢ」の文字を形成している領域とで形成されている。第二の画像（３ｄ）中の四角部分の拡大図に示すように、０．２ｍｍ×０．２ｍｍの第二の画素（４ｄ）がピッチ０．４５ｍｍで形成され、第三の画像である「ＮＰＢ」の文字を形成している領域とで形成している。第二の画像（３ｄ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｄ）の上に重ね合わせて本発明の一実施の形態による画像形成体（６ｄ）を作製する。【０１３４】
このようにして作製された画像形成体（６ｄ）の効果について、図２１を用いて説明する。図２１（ａ）は、光源（７）と観察者の視点（８）の関係を、拡散反射光が支配的な角度で本発明の一実施の形態による画像形成体（６ｄ）を観察した場合に、視認される画像を示している。この場合には、第一の画像のみが視認される。このとき視認される第一の画像の色彩は、表１で示したインキ中の着色顔料の色である黒色である。【０１３５】
図２１（ｂ）は、光源（７）と観察者の視点（８）の関係を、正反射光が支配的な角度で本発明の一実施の形態による画像形成体（６ｄ）を観察した場合に、視認される画像を示している。この場合には、第一の画像（１ｄ）と第二の画像（３ｄ）が干渉して発生したモアレ模様（９ｄ）と、背景（１０ｄ）及び「ＮＰＢ」の文字とが視認される。前述した図１０における原理により、モアレ模様（９ｄ）は、基材（５ｄ）や「ＮＰＢ」の文字を形成している領域と比較して、より観察者に近く存在しているように観察される。【０１３６】
このとき、モアレ模様（９ｄ）及び「ＮＰＢ」の輪郭を形成している黒塗り部は、表１で示したインキ中の着色顔料の色である黒色で視認され、モアレ模様（９ｄ）が発生していない背景（１０ｄ）と「ＮＰＢ」の内部の白抜き部は、表１で示したインキ中のパール顔料の干渉色である金色で視認される。【０１３７】
また、画像形成体（６ｄ）は、第一の画像（１ｄ）が画素の形態であることから、実施の形態で示した例や実施例１の例とは異なり、上下左右いずれの方向に傾けた場合でも、モアレ模様（９ｄ）が、ゆるやかに動いて見える。【０１３８】
本実施例では、画素の形状を０．４ｍｍ×０．４ｍｍの正方形の画素及び０．２ｍｍ×０．２ｍｍの正方形の画素で作製したが、画素の形状としては、正方形のみに限定されず、長方形や五角形などの多角形や円形でもかまわない。
【実施例５】
【０１３９】
以下に、これまでの例のような単純な模様をモアレで形成するのではなく、文字やマークといった有意味情報をモアレで形成した例について説明する。【０１４０】
図２２に第一の画像（１ｅ）の画線構成を示す。第一の画像は、凸形状の第一の画線（２ｅ）が複数配列されて形成されている。第一の画像（１ｅ）中の四角部分の拡大図を示すように、画線幅０．３ｍｍの凸形状の第一の画線（２ｅ）がピッチ０．４ｍｍで配列されている。この第一の画像（１ｅ）は、表３に示す無色パールインキを用いて、ＵＶ乾燥方式のスクリーン印刷によって、高さ約１０μｍの凸形状の画線で形成する。【０１４１】
【表３】
2009139396.tif 000005
【０１４２】
前述のインキにおける物体色は無色であって、干渉色が金色の虹彩色パール顔料のみを配合した本無色パールインキは、拡散反射光で観察した場合には、無色透明であり、肉眼では視認されないが、正反射させた場合には、金色の鮮やかな色相が現れる、優れたカラーフリップフロップ性を有する。【０１４３】
図２３に第二の画像（３ｅ）の画線構成を示す。第二の画像（３ｅ）は、大きく分けて三つの領域で形成されている。図２３に示した上部に位置する第二の画線（４ｅ）における第１の領域（１５）を拡大した図が図２４（ａ）であり、図２３に示した中部に位置する第二の画線（４ｅ´）における第２の領域（１５´）を拡大した図が図２４（ｂ）であり、図２３に示した下部に位置する第二の画線（４ｅ´´）における第２の領域（１５´´）を拡大したのが図２４（ｃ）である。【０１４４】
図２４（ａ）は、横方向から圧縮処理された文字「Ｊ」がピッチ０．３８ｍｍで規則的に配列された第二の画線（４ｅ）から成り、図２４（ｂ）は、左右反転させた横方向から圧縮処理された文字「Ｐ」が、ピッチ０．４２ｍｍで規則的に配列された第二の画線（４ｅ´）から成り、図２４（ｃ）は、横方向から圧縮処理された文字「Ｎ」が、ピッチ０．３８ｍｍで規則的に配列された第二の画線（４ｅ´´）から成る。第一の画像（１ｅ）を形成する凸形状の第一の画線（２ｅ）のピッチを基準として、第二の画像（３ｅ）を形成する画線のピッチの方が大きい場合、モアレ模様は反転して出現してしまう。そこで、横方向から圧縮処理された文字「Ｐ」が配列された第二の画線（４ｅ´）の場合は、図２４（ｂ）で示すように、あらかじめ左右反転させて形成している。第二の画像（３ｅ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｅ）の上に重ね合わせて本発明の一実施の形態による画像形成体（６ｅ）を作製する。【０１４５】
第一の画像（１ｅ）を形成する凸形状の第一の画線（２ｅ）のピッチを基準として、第二の画像（３ｅ）を形成する画線のピッチの方が大きい場合、前述のように、モアレ模様が反転して出現してしまう原理について図２５を用いて説明する。本発明の一実施の形態において、第一の画像と第二の画像の干渉によって生じるモアレ模様は、第一の画像に対する第二の画像のピッチの大小に応じて、遠近感だけでなく、実際にはモアレ画像の向きが変化している。この具体例を示すため、図２５（ａ）〜（ｃ）において、点線を第一の画像を形成する凸画線と仮定し、その上に重なった「Ｐ」という第二の画像を重ねあわせ、第二の画像と点線が重なりあった部分だけを局所的にサンプリングすることで、本発明の一実施の形態で形成されるモアレ画像を低解像度でシミュレートした画像を示す。【０１４６】
図２５（ａ）及び（ｂ）に示すように、モアレ模様として出現する第二の画像の領域が、第一の画像と第二の画像のピッチの違いによって、第二の画像の文字と順方向にサンプリングされるか、文字と逆方向にサンプリングされるかが変化し、出現するモアレ模様が左右（ミラー）反転してしまう場合がある。前述の実施の形態の説明や実施例１、実施例２でもこの反転現象が実際には生じていたが、モアレ模様が単純な縞模様であったことから、この左右（ミラー）反転現象を考慮する必要がなかった。ただし、本実施例のように有意味情報を形成する場合には、この反転現象によって文字やマークの意味が失われることを避けるために、第一の画像に対して、第二の画像のピッチが大きい場合には、図２５（ｃ）のように、あらかじめ第二の画像を左右反転させて形成する必要がある。【０１４７】
このようにして作製された画像形成体の効果について、図２６を用いて説明する。図２６（ａ）は、光源（７）と観察者の視点（８）の関係を、拡散反射光が支配的な角度で本発明の一実施の形態による画像形成体（６ｅ）を観察した場合に、視認される画像を示している。この場合には、第一の画像のみが視認されるが、表２に示した無色パールインキは、拡散反射光が支配的な角度では無色であるため、観察者が注意しなければ、ほとんど認識できない程度の低い視認性となる。【０１４８】
図２６（ｂ）は、光源（７）と観察者の視点（８）の関係を、正反射光が支配的な角度で本発明の一実施の形態による画像形成体（６ｅ）を観察した場合に、視認される画像を示している。この場合、第一の画像（１ｅ）と第二の画像（３ｅ）が干渉して発生した３種類のモアレ模様（９ｅ、９ｅ´、９ｅ´´）と、背景（１０ｅ）が視認される。前述した図１０における原理により、「Ｊ」及び「Ｎ」の文字として出現するモアレ模様（９ｅ、９ｅ´´）は、基材（５ｅ）を基準にした場合に、より観察者に近く存在しているように観察され、「Ｐ」の文字として出現するモアレ模様（９ｅ´）は、基材（５ｅ）を基準にした場合に、より観察者から遠くに存在しているように観察される。【０１４９】
このように、一つの画像中に、基材より近くに存在しているかのように観察されるモアレ模様（９ｅ、９ｅ´´）と、基材より遠くに存在しているかのように観察されるモアレ模様（９ｅ´）とが出現することによって、相対的な遠近感の違いがより強調され、立体感が強まる。【０１５０】
このとき、モアレ模様（９ｅ、９ｅ´、９ｅ´´）は、基材（５ｅ）の拡散反射時の色である灰色で視認され、背景（１０ｅ）は、表２で示したインキ中のパール顔料の干渉色である金色で視認される。【０１５１】
また、画像形成体（６ｅ）を左右に傾けた場合には、「Ｊ」及び「Ｎ」の文字として出現するモアレ模様（９ｅ、９ｅ´´）と、「Ｐ」の文字として出現するモアレ模様（９ｅ´）は、それぞれ異なる方向にゆるやかに動いて見える。
【実施例６】
【０１５２】
以下に、凸形状の画線の画線幅に太細を設けて第一の画像で文字やマークを表現する例について説明する。本実施例においては、拡散反射光が支配的な角度と、正反射が支配的な角度で表示される画像が全く異なる画像にスイッチする。【０１５３】
図２７に第一の画像（１ｆ）の画線構成を示す。第一の画像（鳳凰「商標登録番号第３０４２１０１号」）は、凸形状の第一の画線（２ｆ）が複数配列されて形成されている。第一の画像（１ｆ）中の四角部分の拡大図に示すように、凸形状の第一の画線（２ｆ）はピッチ０．３ｍｍで配列されているが、画線幅０．１５ｍｍと、画線幅０．１８ｍｍの二つの幅が存在し、この画線幅の太細で図２７に示す鳳凰の画像を形成している。すなわち、鳳凰のマークは、画線幅０．１８ｍｍの画線で形成し、鳳凰のマークの背景は、画線幅０．１５ｍｍの画線で形成している。この第一の画像（１ｆ）は、表１に示す着色パールインキを用いて、ＵＶ乾燥方式のスクリーン印刷によって高さ約１０μｍの凸形状の画線で形成する。【０１５４】
前述のインキにおける物体色は無色であって、干渉色が金色の虹彩色パール顔料と、黒色の着色顔料を混合して作製した本着色パールインキは、拡散反射光で観察した場合には、黒色に認識されるが、正反射させた場合には、黒色から金色へと鮮やかに色相が変化する、優れたカラーフリップフロップ性を有する。【０１５５】
図２８に第二の画像（３ｆ）の画線構成を示す。第二の画像（３ｆ）は、画線幅０．１ｍｍの第二の画線（４ｆ）がピッチ０．２７ｍｍで、凸形状の第一の画線（２ｆ）に対して＋５度及び−５度ずつ傾けた二つの画線で形成された領域と、「ＮＰＢ」という文字を形成した白抜きの領域とで形成されている。第二の画像（３ｆ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｆ）の上に重ね合わせて本発明の一実施の形態による画像形成体（６ｆ）を作製する。【０１５６】
このようにして作製された画像形成体（６ｆ）の効果について、図２９を用いて説明する。図２９（ａ）は、光源（７）と観察者の視点（８）の関係を、拡散反射光が支配的な角度で本発明の一実施の形態による画像形成体（６ｆ）を観察した場合に、視認される画像を示している。この場合には、第一の画像である鳳凰画像が視認される。【０１５７】
図２９（ｂ）は、光源（７）と観察者の視点（８）の関係を、正反射光が支配的な角度で本発明の一実施の形態による画像形成体（６ｆ）を観察した場合に、視認される画像を示している。この場合には、第一の画像（１ｆ）は完全に消失し、第一の画像（１ｆ）と第二の画像（３ｆ）が干渉して発生したモアレ模様（９ｆ）と、「ＮＰＢ」の文字を形成している領域、及び背景（１０ｆ）が視認される。第一の画像（１ｆ）が消失する理由は、正反射光が入射することによって、第一の画像（１ｆ）から観察者の目に到達する反射光量が極端に大きくなるため、画線幅の差で表現した第１の印刷画像を視認することが難しくなるためである。【０１５８】
前述した図１０における原理により、モアレ模様（９ｆ）は、基材（５ｆ）と「ＮＰＢ」の文字を基準にした場合に、より観察者に近く存在しているように観察される。【０１５９】
このとき、モアレ模様（９ｆ）と「ＮＰＢ」の文字の輪郭を形成している黒塗り部は、表１に示す着色パールインキの着色顔料の色である黒色で観察され、「ＮＰＢ」の文字の内側、及び背景（１０ｆ）は、表２で示したインキ中のパール顔料の干渉色である金色で視認される。【０１６０】
また、画像形成体（６ｆ）を左右に傾けた場合には、モアレ模様（９ｆ）がゆるやかに動いて見える。
【実施例７】
【０１６１】
以下に、第二の画像で実施例３同様に文字やマークといった有意味情報を連続に配列して出現させるモアレ模様自体を有意化し、かつ、第二の画像のピッチを連続的に変化させることで立体感をより強調して表現した例について説明する。【０１６２】
本実施例においては、拡散反射光が支配的な角度では第一の画像を視認させないデザインとするため、第一の画像は、表３に示した無色パールインキで形成するが、正反射光が支配的な角度で複数の色相で視認させることを目的に、第一の画像を形成する前に、図３０（ａ）に示す第一の画像と同じサイズであって、網点面積率１００％で形成したベタ画像（１４）を基材上に青色インキ（大日本インキ化学工業株式会社製  Ｄａｉ  ｃｕｒｅ  セプターＲＴ‐８  藍）を用いてオフセット印刷方式で印刷する。【０１６３】
続いて図３０（ｂ）に第一の画像（１ｇ）の画線構成を示す。第一の画像は、凸形状の第一の画線（２ｇ）が複数配列されて形成されている。第一の画像（１ｇ）中の四角部分の拡大図に示すように、凸形状の第一の画線（２ｇ）はピッチ０．４ｍｍ、画線幅０．３ｍｍで配列されている。この第一の画像（１ｇ）は、図３０（ａ）に示したベタ画像（１４）の上に重ね合わせて、表２に示した無色パールインキでＵＶ乾燥方式のスクリーン印刷によって高さ約１０μｍの凸形状の画線で形成する。【０１６４】
前述のインキにおける物体色は無色であって、干渉色が金色の虹彩色パール顔料のみを配合した本無色パールインキは、拡散反射光で観察した場合には、無色であってほぼ不可視だが、正反射させた場合には金色の色相が現れる、優れたカラーフリップフロップ性を有する。【０１６５】
図３１に第二の画像（３ｇ）の画線構成を示す。第二の画像（３ｇ）は、二種類の白抜き文字の集合で形成されており、一つは、第二の画像（３ｇ）の上側に位置し、第二の画線（４ｇ）である文字「Ｐ」を左右反転させて配列してなる集合であり、もう一つは、第二の画像（３ｇ）の下側に位置し、第二の画線（４ｇ´）である文字「Ｊ」を配列してなる集合である。【０１６６】
図３２（ａ）に文字「Ｐ」を左右反転させて配列して成る第二の画線（４ｇ）の集合、図３２（ｂ）に文字「Ｊ」を配列して成る第二の画線（４ｇ´）の集合を示す。【０１６７】
図３２（ａ）に示す文字「Ｐ」を左右反転させて配列して成る第二の画線（４ｇ）の集合は、文字自体の幅は０．２５ｍｍで固定しているが、その配置ピッチや文字の高さは、水平方向の位置に応じて連続的に変化させており、中心線であるＢ−Ｂ´から、画像の右端及び左端に向かってそのピッチが連続的に大きくなっている。【０１６８】
図３３（ａ）に中心線Ｂ−Ｂ´（図３２）近くの第二の画線（４ｇ）における第１の領域（１６）の拡大図と、図３３（ｂ）に右端部の第二の画線（４ｇ）における第２の領域（１６´）の拡大図を示す。この例における文字「Ｐ」を左右反転させて配列して成る第二の画線（４ｇ）のピッチの変化は、０．４１２ｍｍ〜０．４３２ｍｍの範囲である。【０１６９】
図３３（ａ）及び図３３（ｂ）に示すとおり、中心線Ｂ−Ｂ´（図３２）にあたる位置では０．４１２ｍｍピッチで配置されており、外側に向かうにしたがって、徐々にピッチが広がって、端部では最終的に０．４３２ｍｍまで広がっている。また、第二の画線の高さは、第１の領域（１６）では２０ｍｍであるものを、第２の領域（１６´）にあたる端部では２３ｍｍと端部にいくにしたがって徐々に拡大している。【０１７０】
図３２（ｂ）に示す文字「Ｊ」を配列して成る第二の画線（４ｇ´）の集合は、文字「Ｐ」の場合と同様に文字自体の幅は０．２５ｍｍで固定しているが、その配置ピッチや文字の高さは、水平方向の位置に応じて連続的に変化させており、中心線であるＣ−Ｃ´から、画像の右端及び左端に向かってそのピッチが文字「Ｐ」の場合とは違い、連続的に小さくなっている。【０１７１】
図３４（ａ）に中心線Ｃ−Ｃ´（図３２）近くの第二の画線（４ｇ´）における第１の領域（１７）の拡大図と、図３４（ｂ）に右端部の第二の画線（４ｇ´）における第２の領域（１７´）の拡大図を示す。この例における文字「Ｊ」を配列して成る第二の画線（４ｇ´）のピッチの変化は、０．３８８ｍｍ〜０．３６８ｍｍの範囲であり、これは文字「Ｐ」を左右反転させて配列して成る第二の画線（４ｇ）のピッチの変化である０．４１２ｍｍ〜０．４３２ｍｍの範囲と、第一の画像（１ｇ）における凸形状の第一の画線（２ｇ）のピッチである０．４ｍｍを基準として、垂直方向に重なり合う文字「Ｊ」の第二の画線（４ｇ´）と文字「Ｐ」を左右反転させた第二の画線（４ｇ）では、その差の絶対値が一致するように制御して配置している。【０１７２】
図３４（ａ）及び図３４（ｂ）に示すとおり、中心線Ｃ−Ｃ´（図３２）にあたる位置では０．３８８ｍｍピッチで配置されており、外側に向かうにしたがって、徐々にピッチが小さくなり、端部では、最終的に０．３６８ｍｍまで縮小する。また、第二の画線の高さは、第１の領域（１７）では２５ｍｍであるものを、第２の領域（１７´）にあたる端部では２３ｍｍと端部にいくにしたがって徐々に縮小している。【０１７３】
この第二の画像（３ｇ）は、透明なオフセットインキ（Ｔ＆Ｋ  ＴＯＫＡ製  ＵＶマット  ＯＰニス  ３Ｈ）を用いて、ＵＶ乾燥方式のオフセット印刷で、第一の画像（１ｇ）の上に重ね合わせて本発明の一実施の形態による画像形成体（６ｇ）を作製する。【０１７４】
このようにして作製された画像形成体（６ｇ）の効果について、図３５を用いて説明する。図３５（ａ）は、光源（７）と観察者の視点（８）の関係を、拡散反射光が支配的な角度で本発明の一実施の形態による画像形成体（６ｇ）を観察した場合に視認される画像を示している。図３５（ａ）が示すように、拡散反射光が支配的な角度で画像形成体（６ｇ）を観察した場合には、図３０（ａ）に示した青色のベタ画像（１４）が視認される。【０１７５】
図３５（ｂ）は、光源（７）と観察者の視点（８）の関係を、正反射光が支配的な角度で本発明の一実施の形態による画像形成体（６ｇ）を観察した場合に、視認される画像を示している。図３５（ｂ）が示すように、正反射光が支配的な角度で画像形成体（６ｇ）を観察した場合には、第一の画像（１ｇ）と第二の画像（３ｇ）が干渉して発生したモアレ模様（９ｇ、９ｇ´）と背景（１０ｇ）が視認される。【０１７６】
「Ｊ」の文字のモアレ模様（９ｇ）は、Ｄ−Ｄ´に示す中心線に近くなるにしたがって、より観察者に近く存在しているように観察され、「Ｐ」の文字のモアレ模様（９ｇ´）は、Ｄ−Ｄ´に示す中心線に近くなるにしたがってより観察者遠くに存在しているように観察される。よって、Ｄ−Ｄ´に示す中心線では、「Ｊ」の文字のモアレ模様（９ｇ）は、近くに、また、「Ｐ」の文字のモアレ模様（９ｇ´）は、遠くに存在しているように認識され、また、画像の左右のＥ−Ｅ´及びＦ−Ｆ´に近づくにしたがって、「Ｊ」の文字のモアレ模様（９ｇ）と「Ｐ」の文字のモアレ模様（９ｇ´）の遠近感は近づいていき、画像の左右のＥ−Ｅ´及びＦ−Ｆ´の位置では、「Ｊ」の文字のモアレ模様（９ｇ）と「Ｐ」の文字のモアレ模様（９ｇ´）の遠近感は完全に一致して目視される。よって、「Ｊ」と「Ｐ」のモアレ模様が、円柱の形状で、立体的に浮かんでいるかのように認識される。【０１７７】
このとき、「Ｊ」の文字のモアレ模様（９ｇ）と「Ｐ」の文字のモアレ模様（９ｇ´）は、第一の画像（１ｇ）が無色透明であることから、図３０に示したベタ画像（１４）の色である青色で視認され、背景（１０ｇ）は、表２で示したインキ中のパール顔料の干渉色である金色で視認される。【０１７８】
また、画像形成体（６ｇ）を左右に傾けた場合には、「Ｊ」の文字のモアレ模様（９ｇ）と「Ｐ」の文字のモアレ模様（９ｇ´）は、それぞれ逆の方向に回ることから、立体感がより強調される。
【実施例８】
【０１７９】
以下に、実施例５と同様に文字やマークといった有意情報をモアレで形成した例であって、これまでの例のように第二の画像で文字やマークを形成するのではなく、凹凸を形成する第一の画像で特定の文字やマークを形成して、これまでの例同様に動くモアレを生じさせる例について説明する。また、本実施例ではスクリーン印刷によって、第二の画像を形成している。【０１８０】
図３６に第一の画像（１ｈ）の画線構成を示す。第一の画像（１ｈ）は、大きく分けて二つの領域で形成されている。図３６に示した上部に位置する第一の画線（２ｈ）における第１の領域（１８）を拡大した図が図３７（ａ）であり、図３６に示した下部に位置する第一の画線（２ｈ´）における第２の領域（１８´）を拡大したのが図３７（ｂ）である。【０１８１】
図３７（ａ）は、横方向から圧縮処理された文字「Ｊ」がピッチ０．５５ｍｍで規則的に配列された第一の画線（２ｈ）から成り、図３７（ｂ）は、左右反転された横方向から圧縮処理された文字「Ｐ」がピッチ０．６５ｍｍで規則的に配列された第二の画線（２ｈ´）から成る。第一の画像（１ｈ）は、表３に示す無色パールインキを用いて、ＵＶ乾燥方式のスクリーン印刷によって高さ約１０μｍの凸形状の画線で形成する。横方向から圧縮処理された文字「Ｐ」を左右反転させて形成している理由は、実施例５の中で説明した原理と同様である。【０１８２】
図３８に第二の画像（３ｈ）の画線構成を示す。第二の画像（３ｈ）は、第二の画線（４ｈ）が複数配列されて形成されている。第二の画像（３ｈ）中の四角部分の拡大図を示すように、画線幅０．４ｍｍの第二の画線（４ｈ）がピッチ０．６ｍｍで配列されている。第二の画像（３ｈ）は、ＵＶ乾燥型スクリーン印刷によって、透明で低光沢なスクリーンインキ（ＵＶ硬化型レイキュアーＯＰ  十条ケミカル株式会社製）を用いて、第一の画像（１ｈ）の上に重ね合わせて本発明の一実施の形態による画像形成体（６ｈ）を作製する。【０１８３】
このようにして作製された画像形成体の効果について、図３９を用いて説明する。図３９（ａ）は、光源（７）と観察者の視点（８）の関係を、拡散反射光が支配的な角度で本発明の一実施の形態による画像形成体（６ｈ）を観察した場合に、視認される画像を示している。この場合には、第一の画像のみが視認されるが、表３に示した無色パールインキは拡散反射光が支配的な角度では無色であるため、観察者が注意しなければ、ほとんど認識できない程度の低い視認性となる。【０１８４】
図３９（ｂ）は、光源（７）と観察者の視点（８）の関係を、正反射光が支配的な角度で本発明の一実施の形態による画像形成体（６ｈ）を観察した場合に、視認される画像を示している。この場合、第一の画像（１ｈ）と第二の画像（３ｈ）が干渉して発生した２種類のモアレ模様（９ｈ、９ｈ´）と、背景（１０ｈ）が視認される。前述した図１０における原理と異なり、「Ｊ」の文字として出現するモアレ模様（９ｈ）は、基材（５ｈ）を基準にした場合に、より観察者から遠くに存在しているように観察され、「Ｐ」の文字として出現するモアレ模様（９ｈ´）は、基材（５ｈ）を基準にした場合に、より観察者近くに存在しているように観察される。実施例５と遠近感が逆転するが、これは第一の画像と第二の画像の画像構成が逆転しているためであり、画像形成体（６ｈ）を傾けて観察した場合のモアレ模様（９ｈ、９ｈ´）の動く方向も実施例５の印刷物とはそれぞれ逆方向に動く。【０１８５】
このように、一つの画像中に、基材より遠くに存在しているかのように観察されるモアレ模様（９ｈ）と、基材より近くに存在しているかのように観察されるモアレ模様（９ｈ´）とが出現することによって、相対的な遠近感の違いがより強調され、立体感が強まる。【０１８６】
このとき、モアレ模様（９ｈ、９ｈ´）は、基材（５ｈ）の拡散反射時の色である灰色で視認され、背景（１０ｈ）は、表２で示したインキ中のパール顔料の干渉色である金色で視認される。【０１８７】
また、画像形成体（６ｈ）を左右に傾けた場合には、「Ｊ」の文字として出現するモアレ模様（９ｈ）と、「Ｐ」の文字として出現するモアレ模様（９ｈ´）は、それぞれ異なる方向にゆるやかに動いて見える。【０１８８】
他の例では第一の画像で比較的単純な万線や画素を形成していたが、本実施例のように、第一の画像で文字やマークといった複雑な有意情報を連続的に形成しても形成は可能である。また、他の例では第二の画像をオフセット印刷のみで形成しているが、本実施例のように、オフセット印刷以外の印刷方式、例えばスクリーン印刷で形成することも可能であり、その他グラビア、フレキソ、凹版、凸版等でも容易に形成できることは言うまでもない。また、インクジェットプリンターや熱転写型プリンタ、あるいはレーザマーカー等を用いて形成することも可能であり、この場合は一枚一枚の情報を変えて印字する、いわゆる可変情報印刷も可能である。【０１８９】
さらに、本発明の実施形態について図面を用いて説明する。図４０（ａ）は、本発明の一実施の形態における画像形成体の第一画像の画線構成、（ｂ）は、第一画像を構成する第一画像要素から成る画像群を示す。図４１（ａ）は、本発明の一実施の形態における第一画像を構成する第一画像要素が画線構造である場合の第一ピッチの基準、（ｂ）は、本発明の一実施の形態における第一画像を構成する第一画像要素が画素構造である場合の第一ピッチの基準を示す。図４２は、本発明の一実施の形態における画像形成体の第二画像の画線構成を示す。図４３（ａ）は、本発明の一実施の形態における画像形成体の判別型、（ｂ）は、一体型における積層型、（ｃ）は、一体型における表裏合成型を示す。図４４（ａ）は、本発明の一実施の形態における第一画像と第二画像を重ね合わせた（判別型）構成、（ｂ）は、モアレ画像の観察方法、（ｃ）は、本発明の一実施の形態における第一画像と第二画像を重ね合わせた（一体型）構成、（ｄ）は、モアレ画像の観察方法を示す。図４５は、本発明の一実施の形態において視認されるモアレ画像を示す。図４６（ａ）は、実施例９における画像形成体の第一画像の画線構成、（ｂ）は、第一画像を構成する第一画像要素から成る画像群を示す。図４７は、実施例９における画像形成体の第二画像の画線構成を示す。図４８（ａ）は、実施例９における第一画像と第二画像を重ね合わせた構成、（ｂ）は、モアレ画像の観察方法を示す。図４９は、実施例９において視認されるモアレ画像を示す。図５０（ａ）は、実施例１０における画像形成体の第一画像の画線構成、（ｂ）は、第一画像を構成する第一画像要素から成る画像群を示す。図５１は、実施例１０における画像形成体の第二画像の画線構成を示す。図５２（ａ）は、実施例１０における第一画像と第二画像を重ね合わせた構成、（ｂ）は、モアレ画像の観察方法を示す。図５３は、実施例１０において視認されるモアレ画像を示す。図５４（ａ）は、実施例１１における画像形成体の第一画像の画線構成、（ｂ）は、第一画像を構成する第一画像要素から成る画像群を示す。図５５は、実施例１１における画像形成体の第二画像の画線構成を示す。図５６（ａ）は、実施例１１における第一画像と第二画像を重ね合わせた構成、（ｂ）は、モアレ画像の観察方法を示す。図５７は、実施例１１において視認されるモアレ画像を示す。図５８は、実施例１２における画像形成体の第一画像を示す。図５９は、実施例１２における画像形成体の第二画像を示す。図６０（ａ）は、実施例１２における第一画像と第二画像を重ね合わせた構成、（ｂ）は、モアレ画像の観察方法を示す。図６１は、実施例１２において視認されるモアレ画像を示す。図６２（ａ）は、実施例１３における画像形成体の第一画像の画線構成、（ｂ）は、第一画像を構成する第一画像要素から成る画像群を示す。図６３は、実施例１３における画像形成体の第二画像の画線構成を示す。図６４（ａ）は、実施例１３における第一画像と第二画像を重ね合わせた構成、（ｂ）は、モアレ画像の観察方法を示す。図６５は、実施例１３において視認されるモアレ画像を示す。図６６（ａ）は、実施例１４における画像形成体の第一画像の画線構成、（ｂ）は、第一画像を構成する第一画像要素から成る画像群を示す。図６７は、実施例１４におけるモアレ隠蔽画像の画線構成を示す。図６８（ａ）は、実施例１４における第一画像と第二画像を重ね合わせた構成、（ｂ）は、モアレ画像の観察方法を示す。図６９は、実施例１４において視認されるモアレ画像を示す。【０１９０】
（画像形成体の画線構成）
まず、本発明の一実施の形態における画像形成体の基本的な構成について、図４０から図４５を用いて説明する。画像形成体は、第一画像と第二画像とを有し、第一画像と第二画像の干渉によってモアレ画像が出現するものである。【０１９１】
「立体モアレ」とは、規則正しく配列された点や線を持つものに、同じようなパターンを重ねた場合に生じる、二次元的に視認されるモアレとは異なり、奥行き感を有して三次元的に視認されるモアレのことを言う。【０１９２】
（第一画像）
図４０（ａ）に画像形成体における第一画像の画線構成、（ｂ）に第一画像を構成する第一画像要素から成る画像群を示す。第一画像（１０１）は、複数の第一画像要素（１０１−１、１０１−２、・・・、１０１−ｎ）で構成される画像群から成り、画像群は、第１の第一画像要素（１０１−１）、第２の第一画像要素（１０１−２）、・・・、第ｎ（ｎは２以上の自然数とする）の第一画像要素（１０１−ｎ）から成り、各第一画像要素（１０１−１、１０１−２、・・・、１０１−ｎ）は、各第一画像要素同士が重ならないように横方向にすべての第一画像要素を同じ縮率で圧縮し、１０１−１、１０１−２、・・・、１０１−ｎの順に規則性のある第一ピッチで配置している。本発明の一実施の形態において、第一画像要素を１０１−１から１０１−ｎまで規則的に配置した状態を一周期とする。【０１９３】
第一画像要素の圧縮方向は、第一画像と対を成す第二画像（１０２）の第二画像要素の配置方向と同一方向である必要がある。具体的な例として、図４２に示すように第二画像（１０２）が縦方向のスリットで形成されている場合には、図４０（ｂ）に示す第一画像要素は横方向にのみ圧縮して図４０（ａ）に示す第一画像（１０１）とする必要がある。圧縮の手順としては、図４０（ｂ）に示す第一画像要素から成る画像群をひとつのグループとして扱い、全体を圧縮して、結果的に各第一画像要素間のピッチが第一ピッチとなるように圧縮率を調整してもよく、又は図４０（ｂ）に示す第一画像要素から成る画像群の一つ一つをそれぞれ特定の圧縮率で圧縮し、それぞれの各第一画像要素を第一ピッチで配置してもよい。ただし、第一画像要素から成る画像群の一つ一つをそれぞれ特定の圧縮率で圧縮した後に、それぞれの各第一画像要素を第一ピッチで配置する場合の圧縮率については、圧縮した各第一画像要素の幅が第一ピッチを超えない幅に収まる値にとどめることが望ましい。これは圧縮した各第一画像要素の幅が第一ピッチを超えてしまう場合、各第一画像要素同士が重なりあってしまうために、出現するモアレ画像も重なり合って出現することから、観察者には分かりづらいモアレ画像となるためである。【０１９４】
第一画像要素を一周期分配置することで、本発明の一実施の形態の効果であるモアレ画像が出現する。ただし、一周期分の長さが十分な幅に達しなかったり、第二画像における第二画像要素とのピッチの差が小さ過ぎたりする場合には、出現するモアレ画像の数が１個に満たない場合が発生する。このような場合、モアレ画像が観察できないことがあるため、更に、第一画像要素（１０１−１、１０１−２、・・・、１０１−ｎ）１周期の最後にあたる１０１−ｎの第一画像要素の隣に、１０１−１の第一画像要素を規則性のある第一ピッチで配置し、同様に１０１−２、１０１−３と配置して、これを数周期繰り返すことで第一画像を形成しても構わない。以上のように、第一画像（１０１）に配置する第一画像要素を繰り返し配置することで、第一画像と第二画像が干渉して発生するモアレ画像の数を調整することが可能である。【０１９５】
規則性のある第一ピッチとは、１０１−１、１０１−２、・・・、１０１−ｎを同じ第一ピッチで配置しても良く、更には、１０１−１、１０１−２、・・・、１０１−ｎにしたがって第一ピッチを徐々に大きくしたり、逆に、１０１−１、１０１−２、・・・、１０１−ｎにしたがって第一ピッチを徐々に小さくしたりすることも可能である。第一画像が複数周期から構成され、第一ピッチを徐々に変化させる場合、一周期目の１０１−１から１０１−ｎまで一定の割合で第一ピッチを変化させていき、次の二周期目の１０１−１は、一周期目の１０１−ｎに対し同じ割合で第一ピッチを変化させ、三周期目も同様に１０１−ｎまで一定の割合で第一ピッチを変化させていく。第一画像が四周期、五周期を有する構成とする場合の第一ピッチも同様である。また、一周期目は、同じ第一ピッチで配置し、二周期目は、一定の割合で第一ピッチを変化させて配置し、更に三周期目は、同じ第一ピッチで配置するといった構成にしてもよい。【０１９６】
画像群を構成する第一画像要素の個数は、特定の個数に限定されるものではなく、モアレによる画像の動きの細かさや動きの量、モアレの発生数等を考えて、自由に決定してよい。また、各第一画像要素を圧縮する方向は、基本的に縦方向や横方向、又は斜め方向等の一方向に対して画像を圧縮するものと、縦横の両方向（単純な縮小）の圧縮とが可能である。本発明の一実施の形態において、縦方向のみ又は横方向のみに圧縮した第一画像要素を画線構造とし、縦横の両方向に圧縮した第一画像要素を画素構造とする。また、縦方向の圧縮とは、画像の上下方向から圧縮をする形態であり、圧縮後の画像は、横長となる。逆に、横方向の圧縮とは、画像の左右方向から圧縮をする形態であり、圧縮後の画像は、横長となる。【０１９７】
第一画像要素を横方向に圧縮する場合には、第二画像は、縦方向のスリット構造を成す画線構造である必要があり、横方向に圧縮する場合には、第二画像は、縦方向のスリット構造を成す画線構造である必要があり、縦横の両方向に圧縮する場合には、第二画像は、上下左右に配置した円や多角形から成る画素構造である必要がある。横方向に圧縮した場合、第二画像と重ね合わせて左右にフリップさせることでモアレ画像が左右に動き、縦方向に圧縮した場合、第二画像と重ね合わせて上下にフリップさせることでモアレ画像が上下に動き、縦横方向に圧縮する場合には、上下左右にフリップさせることで、モアレ画像が上下左右に動く形態となる。また、縦方向に圧縮する場合には、両眼視差を用いた遠近感の表現が可能となる。【０１９８】
出現させるモアレ画像をシャープに形成するためには、第一画像における第一画像要素の画線幅は、より狭い方が望ましいが、連続印刷時の印刷適性や画線再現性を考慮する場合、画像の複雑さに応じて決定する必要がある。【０１９９】
図４０（ｂ）に示す第一画像要素（１０１−１、１０１−２、・・・、１０１−ｎ）は、計ｎ個の人体の簡易図を表した画像である。これらは、隣り合った第一画像要素同士、つまり、１０１−１と１０１−２、１０１−２と１０１−３、１０１−３と１０１−４、それ以降１０１−ｎまでのすべての第一画像要素の一部分が、わずかずつ変化している。変化の度合いには、規則性があり、１０１−１と１０１−２の変化の度合い、１０１−２と１０１−３の変化の度合い、１０１−３と１０１−４の変化の度合い、それ以降の変化の度合いは、すべて同じ変化の度合いであることが好ましい。つまり、１０１−１と１０１−２の変化の度合いをαとすると、１０１−２と１０１−３の変化の度合いもα、１０１−３と１０１−４の変化の度合いもαとなり、結果、１０１−１と１０１−３の変化の度合いは、２α、１０１−１と１０１−４の変化の度合いは３αといったように、変化の度合いには必ず規則性があり、隣り合った第一画像要素同士の変化の度合いは、ほぼ同じであることが好ましい。【０２００】
ただし、ｎの個数を多くすることによって変化度合いαが、肉眼では視認しにくい程度に限りなく極小である場合に限り、ある一部分の隣り合う第一画像要素同士が同じ構成と成ってもよい。図４０の場合で例を挙げると、第一画像要素のｎを２００個とした場合、隣り合う第一画像要素同士の変化の度合いは、肉眼では視認しにくい程度となる。この場合に限り、第１００番目の第一画像要素と第１０１番目の第一画像要素に変化がなく同じ構成と成ったとしても、出現するモアレ画像に影響は及ぼさない。ただし、第一画像要素のｎを７個とした場合、隣り合う第一画像要素の変化の度合いαは大きくなり、例えば、第３番目の第一画像要素と第４番目の第一画像要素に変化がなく同じ構成と成った場合、出現するモアレ画像は、連続性のあるスムーズな動きのあるモアレではなく、動きに急激な変化が生じてしまいスムーズな動きのモアレとはならない。このことから、隣り合った第一画像要素同士の変化の度合いは、ほぼ同じであることが好ましい。【０２０１】
さらに、言い換えるならば、第１の第一画像要素（１０１−１）から第ｎの第一画像要素（１０１−ｎ）までを一動作とした場合、一動作を第一画像要素の個数であるｎで平均的に除算した変化度合いが、隣り合う第一画像要素同士の変化度合いαとなり、第１の第一画像要素（１０１−１）から第ｎの第一画像要素（１０１−ｎ）までの変化度合いは、（ｎ×α）となる。【０２０２】
このことから、変化自体に連続して繋がった流れを生じさせており、図４０（ｂ）に示した人体の場合、１０１−１、１０１−２、・・・、１０１−ｎと順を追うにしたがって人体の簡易図が右方向に向かって歩いているかのように見せるため、徐々に変化をさせている。【０２０３】
前述した第一画像要素の変化の度合いαを大きくするか小さくするかによって、発生するモアレ画像の変化の度合い、つまり、モアレ画像として発生する人体の歩く速度や手の振り等が異なる。この理由については、後述する。【０２０４】
また、一動作を第一の動作とした場合、隣り合った第一画像要素同士の変化の度合いαは、第一の動作の中で同じにする必要はあるが、第一の動作にプラスして第二の動作、更には第三の動作を並列して第一画像を形成する場合、第一の動作の変化の度合いと第二の動作の変化の度合いを同じにする必要はない。【０２０５】
つまり、例えば、第一の動作において、人が座っている形態から立ち上がる形態までを表現し、第二の動作において、人がゆっくり歩いている形態を表現し、更に第三の動作において、人が走り出す形態を表現し、第一の動作と第二の動作と第三の動作の三種類の動作で第一画像を形成し、第一の動作よりも第二の動作、第二の動作よりも第三の動作の動きを早く表現したい場合、第一の動作中の第一画像要素同士の変化の度合いをαとすると、次の第二の動作中の第一画像要素同士の変化の度合いは２αとし、更に次の第三の動作中の第一画像要素同士の変化の度合いは３αとする。ただし、第一の動作中の第一画像要素同士の変化の度合いは、ほぼαであり、同じく第二の動作中の第一画像要素同士の変化の度合いは、ほぼ２αであり、第三の動作中の第一画像要素同士の変化の度合いは、すべて３αである。【０２０６】
また、図４１（ａ）及び（ｂ）に示すように、第一構成要素を規則的に配置するための第一ピッチの基準となる部分は、第一構成要素を第１から第ｎに変化させた場合において、第一構成要素の中で変化をしない箇所、例えば、図４１（ａ）に示すように、人体の頭部の中心を第一ピッチの基準とする。そのことで、同ピッチ（ピッチａ）にすることが可能となる。逆に、変化をする箇所をピッチとの基準とした場合、例えば、図４１（ａ）に示すように、人体の左足の先端部分をピッチの基準とした場合、第１の第一構成要素から第ｎの第一構成要素にかけて動きの変化があり、第一ピッチ（ピッチａ、ピッチｂ、ピッチｃ、ピッチｄ、ピッチｅ）に誤差が生じることとなる。そのため、第一構成要素の中で変化をしない箇所を第一ピッチの基準とする。また、第一画像を図４１（ｂ）に示す立方体の形態とし、立方体の形自体は変化させず、角度を変えることによって立方体が転がっているかのような形態とする場合、第一ピッチの基準は、立方体の中心点とする。【０２０７】
（第二画像）
図４２は、第一画像（１０１）と干渉させるための第二画像（１０２）である。第二画像（１０２）は、第二画像要素で構成される第二画像群から成り、第二画像群は、第二画像要素が、規則的な第二ピッチで連続的に配置されて成る。この第二画像要素は、スリットによる画線構造や画素構造を成している。【０２０８】
規則性のある第二ピッチとは、すべての画線を同じピッチで配置しても良く、更には、第二ピッチを徐々に大きくしたり、逆に第二ピッチを徐々に小さくしたりすることも可能である。【０２０９】
ただし、第二画像（１０２）における第二画像要素の第二ピッチ、画線構造の画線幅、画素構造の画素の大きさに関しては、第一画像（１０１）の構成によって決定される。第一画像と第二画像と発生させるモアレ画像の関係については、以下に説明する。【０２１０】
（第一画像と第二画像とモアレ画像の関係）
発生させるモアレ画像の高さは、図４２に示すように縦型スリット構造でモアレを発生させる場合、第一画像（１０１）の高さで決定される。【０２１１】
発生させるモアレ画像の幅は、第一画像（１０１）における第一画像要素の第一ピッチと第二画像（１０２）における第二画像要素の第二ピッチの差によって決定される。【０２１２】
発生させるモアレ画像の変化の度合いは、例えば、図４０（ｂ）に示した人体の場合、具体的には、人体がゆっくりと歩いているのか、普通に歩いているのか、早足なのかといったモアレ画像の変化の度合いは、第一画像（１０１）における一つの第一画像要素が、それと隣り合った第一画像要素とどの程度異なっているかによって決定される。つまり、早足のように動きの早いアニメーションにしたい場合、第一画像要素の１０１−１と１０１−２の間で手足の傾きや位置を大きく変化させた構成にする。【０２１３】
さらに、発生させるモアレ画像の変化の度合いは、その他の要素と同様に第一画像（１０１）における第一画像要素の第一ピッチと第二画像（１０２）における第二画像要素の第二ピッチの差に大きく影響を受け、ピッチの差を小さくすると変化の度合いは大きくなり、ピッチの差を大きくすると変化の度合いは小さくなる。【０２１４】
発生させるモアレ画像の動きの方向と、モアレ画像の遠近感は、第一画像（１０１）における第一画像要素の第一ピッチと第二画像（１０２）における第二画像要素の第二ピッチで決定される。動きの方向は、例えば、図４４（ａ）に示すように、第一画像（１０１）を第二画像（１０２）より観察者に近い位置関係として第一画像（１０１）と第二画像（１０２）を干渉させてモアレ画像を観察する場合において、第一画像（１０１）が印刷された基材（１０３）を固定して、第二画像（１０２）が印刷された基材（１０３´）を左方向にずらしながら観察した場合に、モアレ画像を右方向に向かって動かしたい場合には、第二画像（１０２）における第二画像要素の第二ピッチよりも第一画像（１０１）における第一画像要素の第一ピッチを小さくし、逆方向に動かしたい場合には、第二画像（１０２）における第二画像要素の第二ピッチよりも第一画像（１０１）における第一画像要素の第一のピッチを大きくする必要がある。【０２１５】
また、図４４に示すように、第一画像（１０１）を第二画像（１０２）より観察者に近い位置関係として第一画像（１０１）と第二画像（１０２）を干渉させてモアレ画像を観察する場合において、モアレ画像に奥行き感を生じさせたい場合、第二画像（１０２）における第二画像要素の第二ピッチを基準として第一画像（１０１）における第一画像要素の第一ピッチを大きくし、逆に、モアレ画像に手前感を生じさせたい場合、第二画像（１０２）における第二画像要素の第二ピッチを基準として第一画像（１０１）における第一画像要素の第一ピッチを小さくすることで、遠近感を変えることが可能である。【０２１６】
また、第一画像（１０１）における第一画像要素の第一ピッチと、第二画像（１０２）における第二画像要素の第二ピッチの差が大きい場合は、奥行き感や手前感は小さくなり、逆に、ピッチの差が小さい場合は、奥行き感や手前感は大きくなる。ただし、遠近感については、第一画像（１０１）と第二画像（１０２）が観察者から見てどちらが手前側にあるのかという位置関係によって、手前感と奥行き感が反転して遠近感が逆転する。例えば、第一画像（１０１）を第二画像（１０２）より観察者から遠い位置関係として第一画像（１０１）と第二画像（１０２）を干渉させてモアレ画像を観察する場合、具体的には、第二画像（１０２）としてレンチキュラーを重ね合わせ、反射光でモアレ画像を認証する形態であれば、遠近感は、上述した例と逆転する。すなわち、第二画像（１０２）として、レンチキュラーを用いてモアレ画像に奥行き感を生じさせたい場合、第二画像（１０２）における第二画像要素の第二ピッチを基準として第一画像（１０１）における第一画像要素の第一ピッチを小さくし、逆に、モアレ画像に手前感を生じさせたい場合、第二画像（１０２）における第二画像要素の第二ピッチを基準として第一画像（１０１）における第一画像要素の第一ピッチを大きくする必要がある。【０２１７】
アニメーションは、図４０（ａ）に示した第一画像要素が表している動きがそのまま動画として表現されたものであり、生じるモアレ画像の高さや幅、歩く速さや動きの大きさ、動きの方向、加えて遠近感の調整や発生する歪みの抑制は、図４０（ａ）に示した第一画像要素の構成と、第一画像（１０１）における第一画像要素の第一ピッチと第二画像（１０２）における第二画像要素の第二ピッチによって制御することが可能である。【０２１８】
モアレ画像は、各第一画像要素が特定の間隔で集合してモアレとして視認される構成、例えば、図４５におけるモアレ画像（１０７−１）は、図４０（ｂ）における第一画像要素（１０１−５）の胴体を基準としたときの左半分の部分と、第一画像要素（１０１−６）の胴体を基準としたときの右半分の部分が集合してモアレ画像（１０７−１）として視認される構成であることから、もとの各第一画像要素にはなかった歪みが生じる。それらは、例えば、頭を模した円が真円として描かれずに楕円となったり、第二画像（１０２）のスリット画線と平行を成す縦方向の画線のみが太く視認されたり、手足が早く動くあまり曲がって見えたりと、様々な部分で発生するものである。【０２１９】
歪みを可能な限り抑制する方法の一つとして、図４２に示すように、第二画像（１０２）の画線幅を大きくして、スリット幅を小さくする方法が挙げられる。歪みを抑制するための第二画像（１０２）の画線幅は、具体的には、第二画像（１０２）における第二画像要素の第二ピッチの２分の１を超える必要があり、より好ましくは、４分の３を超えることである。ただし、第二画像（１０２）の画線幅が、第二画像（１０２）における第二画像要素の第二ピッチの２分の１を超えない場合でも、本発明の一実施の形態におけるモアレ画像の認識は可能である。しかし、第二画像（１０２）の画線幅が、第二画像（１０２）における第二画像要素の第二ピッチの２分の１を超えない場合、鮮明なモアレ画像が出現せず、場合によっては何のモアレ画像であるかを識別することすら困難な状態となる。そのことから、鮮明なモアレ画像を出現させるためには、上述した範囲が好ましい。【０２２０】
また、歪みを可能な限り抑制する別の方法として、第一画像（１０１）における第一画像要素の第一ピッチと第二画像（１０２）における第二画像要素の第二ピッチの差を大きくする方法が挙げられる。具体的には、第一画像（１０１）における第一画像要素の第一ピッチと第二画像（１０２）における第二画像要素の第二ピッチが等しい場合を１００％と定義すると、第一画像（１０１）における第一画像要素の第一ピッチと、第二画像（１０２）における第二画像要素の第二ピッチの比率が、９８％から１０２％の範囲にある場合、歪みの制御が困難となることから、このピッチの比率の範囲を用いないことが好ましい。ただし、第一画像（１０１）における第一画像要素の第一ピッチと、第二画像（１０２）における第二画像要素の第二ピッチの比率が１００％以外、つまり、第一画像（１０１）における第一画像要素の第一ピッチと、第二画像（１０２）における第二画像要素の第二ピッチが同一ではなく、異なっていれば、本発明の一実施の形態におけるモアレ画像の認識は可能である。しかし、第一画像（１０１）における第一画像要素の第一ピッチと、第二画像（１０２）における第二画像要素のピッチの比率が、９８％から１０２％の範囲にある場合、鮮明なモアレ画像が出現せず、場合によっては何のモアレ画像であるかを識別することすら困難な状態となる。そのことから、鮮明なモアレ画像を出現させるためには、９８％から１０２％を除いた８０％から１２０％程度の範囲に留めることが好ましい。【０２２１】
また、歪みを可能な限り抑制する別の方法として、第一画像（１０１）における第一画像要素間の変化の度合を小さくする方法も挙げられる。【０２２２】
モアレ画像を制御するためのパラメータは、複雑にからみあっていることから、モアレ画像の個数、モアレ画像の変化の度合い、モアレ画像の動きの細かさ等、何を優先させるかによって、第一画像要素及び第二画像要素の構成やピッチは異なってくる。その中でも第一画像における第一画像要素の第一ピッチと第二画像（１０２）における第二画像要素の第二ピッチの差異は、あらゆる要素に影響を及ぼすパラメータであることから、基本的には、第一画像（１０１）における第一画像要素の第一ピッチと第二画像（１０２）における第二画像要素の第二ピッチの比率は、９８％から１０２％を除いた８０％から１２０％程度の範囲に留めることが、立体モアレの制御と歪みの発生を抑制することが可能な好ましい条件である。【０２２３】
また、第一画像（１０１）は、第三画像で隠蔽することも可能である。第三画像は、情報文字やカモフラージュ模様などから構成され、例えば、第一画像（１０１）の上に情報文字を配置したり、第一画像（１０１）の周りを取り囲むようにカモフラージュ模様を配置したり、両方を組み合わせたり、第一画像（１０１）を隠蔽する形態で配置する。第三画像は、第一画像（１０１）の非第一画像要素（非画線部）に形成される。第三画像は、分割された形態で非第一画像要素に形成することができる。第三画像の構成画線と第一画像（１０１）における第一画像要素は重ねっていても重ならないようにしても良い。ただし、第三画像の構成画線と第一画像（１０１）における第一画像要素は重ならない形態の方がモアレ画像を鮮明に確認できる。【０２２４】
第一画像（１０１）と重ねて構成する場合の第三画像は、第一画像（１０１）の上に重ねて形成しても、下に重ねて形成してもかまわない。例えば、第二画像（１０２）としてレンチキュラーレンズを用い、第一画像（１０１）における第一画像要素の第一ピッチを第二画像（１０２）における第二画像要素の第二ピッチよりも大きく設計し、画像形成体を観察した際にモアレ画像を観察者に対して手前に出現させたい場合、第三画像は、第一画像（１０１）の上に重ねて形成する。逆に、モアレ画像を観察者に対して奥側に出現させたい場合、第三画像は、第一画像（１０１）の下に重ねて形成する。ただし、第二画像（１０２）として透明基材に第二構成要素を形成したものを用いた場合は、現象が逆転する。つまり、第一画像（１０１）における第一画像要素の第一ピッチを第二画像（１０２）における第二画像要素の第二ピッチよりも大きく設計し、画像形成体を観察した際にモアレ画像を観察者に対して手前に出現させたい場合、第三画像は、第一画像（１０１）の下に重ねて形成する。【０２２５】
第三画像を構成するインキについては、第一画像（１０１）と同じ色のインキを用いても異なる色のインキを用いても良く、何ら制限されない。さらに、第三画像を画線で構成する場合における画線幅やピッチ及び画素で構成する場合における画素幅やピッチも何ら制限されない。【０２２６】
この場合、第一画像（１０１）を視認した際には、情報文字やカモフラージュ模様などの第三画像のみしか視認できず、第二画像を重ね合わせることによって、第一画像（１０１）のモアレ画像が視認可能となる。【０２２７】
（画像形成体の形態）
図４３に示すように、本発明の一実施の形態における画像形成体の形態は、二種類に大別できる。一つは、図４３（ａ）に示す判別型、もう一つは、図４３（ｂ）及び（ｃ）に示す一体型である。また、一体型については、さらに図４３（ｂ）に示す積層型と図４３（ｃ）に示す表裏合成型とに別れる。それぞれの形態について、次に述べる。【０２２８】
図４３（ａ）に示す判別型とは、第一画像（１０１）が印刷された第一基材（１０３）と第二画像（１０２）が印刷された第二基材（１０３´）を、それぞれを別々に存在させる形態である。観察するときに、まず、第一画像の第一ピッチの方向と第二画像の第二ピッチの方向が同じ方向になるように、第一画像（１０１）と第二画像（１０２）を重ね合わせる。次に、第一基材又は第二基材のどちらか一方を固定、例えば、第一基材を固定し、第二基材を第一基材に形成されている第一画像の第一構成要素の第一ピッチ方向と平行に動かし、モアレ画像が出現するか否かで真偽判別を行う。この場合、第二画像（１０２）は、真偽判別具として用いることとなる。【０２２９】
図４３（ｂ）に示す積層型とは、第一画像（１０１）が印刷された第一基材（１０３）と第二画像（１０２）が印刷された第二基材（１０３´）を、第一画像（１０１）の第一ピッチの方向と、第二画像（１０２）の第二ピッチの方向が同じ方向になるように積層し、接着して画像形成体（１０４）とする形態である。画像形成体（１０４）を観察するときには、透過光下、又は反射光において画像形成体（１０４）を傾け、モアレ画像が出現するか否かで真偽判別を行う形態のことである。【０２３０】
図４３（ｃ）に示す表裏合成型とは、第一画像（１０１）が第一基材（１０３）の表裏のいずれか一方の表面の少なくとも一部の領域に形成されて成り、第二画像（１０２）を第一基材（１０３）の表裏のもう一方の表面の少なくとも一部の領域に、第一画像（１０１）の第一ピッチの方向と第二画像（１０２）の第二ピッチの方向が同じ方向になるように形成して画像形成体（１０４）とする形態である。画像形成体（１０４）を観察するときには、反射光において画像形成体（１０４）を傾け、モアレ画像が出現するか否かで真偽判別を行う形態のことである。【０２３１】
（画像形成体の作製方法）
画像形成体を作製する基材について、第一画像（１０１）を形成する第一基材（１０３）及び第二画像（１０２）を形成する第二基材（１０３´）は、第一基材（１０３）と第二基材（１０３´）ともに透明及び／又は半透明であるか、又は第一基材（１０３）と第二基材（１０３´）の少なくともどちらか一方の基材が透明又は半透明な基材である必要がある。第一基材（１０３）と第二基材（１０３´）の少なくともどちらか一方の基材を透明又は半透明にした場合、もう一方の基材は、不透明でもかまわない。ただし、画像形成体を透過光で観察するか、反射光で観察するかによって基材の組み合わせが限定される。【０２３２】
つまり、画像形成体を透過光で観察する場合、第一画像（１０１）を形成する第一基材（１０３）及び第二画像（１０２）を形成する第二基材（１０３´）は、透明又は半透明な基材を用いる。透明な基材とは、例えば、印刷用フィルムや透明アクリル板や塩化ビニール板が挙げられる。【０２３３】
また、画像形成体を反射光で観察する場合、第一画像（１０１）を印刷する第一基材（１０３）及び第二画像（１０２）を形成する第二基材（１０３´）の少なくともどちらか一方は、透明又は半透明な基材を用いる必要があるが、もう一方は、不透明な基材を用いることも可能である。当然、第一基材（１０３）及び第二基材（１０３´）ともに透明又は半透明の基材でもかまわない。不透明な基材としては、例えば、コート紙や上質紙、白いプラスティックなどが挙げられ、特に限定はしない。透明な基材としては、前述の例と同様に印刷用フィルムや透明アクリル板や塩化ビニール板が挙げられるが、第一画像（１０１）と第二画像（１０２）を重ね合わせて反射光でモアレ画像を認証すると、ほとんどの場合、画像が暗くなりモアレ画像が判別しづらくなることから、レンチキュラーレンズやマイクロレンズアレイ等を用いることが望ましい。【０２３４】
上述した基材の種類からすると、例えば、図４０に示すような画線構造から成る第一画像（１０１）に対して、図４２に示すようなスリット構造から成る第二画像（１０２）を重ねて観察する場合、第一画像（１０１）を形成する第一基材（１０３）として不透明な基材を用いたとき、第二基材（１０３´）としては、透明又は半透明である必要がある。ただし、本発明の一実施の形態におけるモアレ画像が、重ね合わせたスリット構造の隙間から第一画像（１０１）が見え隠れし、第一画像（１０１）と第二画像（１０２）が干渉することでモアレ画像が出現する原理であることから、第二基材（１０３´）として不透明な基材を用い、第二基材（１０３´）に形成されている第二画像（１０２）における第二画像要素を除いた部分は、第二基材（１０３´）が除去されて成るスリット構造とすることで、同様の効果を得ることが可能である。また、第一画像（１０１）が画線構造ではなく画素構造である場合、第二基材（１０３´）に形成されている第二画像（１０２）における第二画像要素を除いた部分は、第二基材（１０３´）が除去されて成る画素構造とすることで、同様の効果を得ることが可能である。ここでいう、第二基材（１０３´）が除去されて成るとは、不透明な第二基材（１０３´）に対して、レーザの照射などにより窓開きの状態にすることである。【０２３５】
印刷するためのインキは、特に限定するものではないが、第二画像（１０２）を形成する場合に用いるインキは、黒や紫等の濃いインキを使用する。少なくとも、透明な第二基材（１０３´）上に印刷した場合に、第一画像（１０１）を完全に隠蔽する性能が求められるため、第一画像（１０１）を形成する画線の色と同じか、それ以上に濃い色で形成する必要がある。【０２３６】
また、第二基材（１０３´）を透明インキによる透明層として形成してもかまわない。つまり、第一画像（１０１）が第一基材（１０３）の表裏のいずれか一方の表面の少なくとも一部の領域に形成されて成り、第一画像（１０１）を覆うように、透明インキにより印刷された透明層が形成されて成り、その上に第二画像（１０２）が第一画像（１０１）の第一ピッチの方向と第二画像（１０２）の第二ピッチの方向が同じ方向になるように形成してもかまわない。さらに、第二画像（１０２）をスクリーン印刷や凹版印刷等、盛り上がりの形成が可能な印刷方式で、透明インキを用いて、盛りのある凸形状にした場合、上述した透明層は、なくてもよい。【０２３７】
印刷方式は、方式を限定するものではない。オフセット印刷方式、グラビア印刷方式、フレキソ印刷方式、凸版印刷方式、凹版印刷方式、スクリーン印刷方式等あらゆる方式で形成可能である。【０２３８】
（視認状態とその効果）
画像形成体を真偽判別に用いる形態としては、大別して二つの方法が考えられる。一つは、第一画像（１０１）と第二画像（１０２）を別々の基材に印刷して、それぞれを別々にして用いる場合である。図４４（ａ）に示すように、画像形成体（１０４）を判別型とした場合、図４４（ｂ）に示すように、観察者（１０５）は、別々の基材に印刷された第一画像（１０１）と第二画像（１０２）を重ねあわせ、画像形成体（１０４）を光源（１０６）にかざして透過光で観察する。また、第一画像（１０１）又は第二画像（１０２）のいずれかを図４４（ｂ）に示す左右の矢印方向に動かすことで、モアレ画像が動くことを確認できる。光源としては、例えば、ライトテーブル、天井の蛍光灯又は日光が挙げられる。【０２３９】
例えば、印刷物上には第一画像（１０１）のみを印刷した形態で市場に流通させ、第二画像（１０２）は店舗のレジやチケット交換所等のみに配布する。店舗のレジやチケット交換所で、第二画像（１０２）を印刷した基材を第一画像（１０１）に重ねあわせて真偽判別を行う形態である。第一画像（１０１）が印刷された基材（１０３）と第二画像（１０２）が印刷された基材（１０３´）を重ね合わせて画像形成体（１０４）のモアレ画像が視認できるか否かで真偽判別を行うものであり、真偽判別は第二画像（１０２）を印刷した基材を所有する判定者にしか行えない形態である。【０２４０】
また、もう一つの真偽判別の形態とは、第一画像（１０１）と第二画像（１０２）を同じ基材の異なる表面に形成したり、第一画像（１０１）が印刷された基材（１０３）と第二画像（１０２）が印刷された基材（１０３´）を接着したりすることで、第一画像（１０１）と第二画像（１０２）を一体化した形成で市場に流通させるものである。図４４（ｃ）に示すように、第一画像（１０１）および第二画像（１０２）を形成した基材同士を接着して画像形成体（１０４）を一体型とした場合、図４４（ｄ）に示すように、観察者（１０５）は、画像形成体（１０４）を反射光で観察する。この場合、画像形成体自体を図４４（ｄ）の矢印で示すように傾けることで、モアレ画像のアニメーションを観察できる。【０２４１】
画像形成体（１０４）を光にかざして観察したり、上下左右に動かしたりしてモアレ画像を視認して真偽判別を行う形態であり、真偽判別は、この画像形成体（１０４）を所持した万人が行える形態である。【０２４２】
また、第一画像（１０１）と第二画像（１０２）の重ね合わせ角度は、平行に重ね合わせる必要がある。第一画像（１０１）と第二画像（１０２）に角度のずれが生じていた場合には、モアレが斜めに歪むことから、できる限り並行に重ね合わせる必要がある。【０２４３】
画像形成体（１０４）を観察した結果、判別型及び一体型ともに、図４５に示すように、人体のモアレ画像（１０７−１、１０７−２）が現れる。出現するモアレ画像のピッチは、第一画像（１０１）における第一画像要素の第一ピッチと第二画像（１０２）における第二画像要素の第二ピッチで決定される。第一画像における第一画像要素の第一ピッチをＡ、第二画像における第二画像要素の第二ピッチをＢ、出現するモアレ画像のピッチをＣとすると、Ｃ＝Ａ×Ｂ／｜Ａ−Ｂ｜の式が成り立つ。つまり、出現するモアレ画像のピッチは、第一画像（１０１）における第一画像要素の第一ピッチと第二画像（１０２）における第二画像要素の第二ピッチの積を、第一画像（１０１）における第一画像要素の第一ピッチと第二画像（１０２）における第二画像要素の第二ピッチの差の絶対値で除したもので算出できる。出現するモアレ画像のピッチＣを小さくすると、所定領域内に出現するモアレ画像の数は多くなり、逆に、出現するモアレ画像のピッチＣを大きくすると、所定領域内に出現するモアレ画像は少なくなる。なお、上記記載のｎは２以上の自然数について、好ましくは、ｎは３以上の自然数とすることでわずかずつ変化するモアレ画像が確認できる。【０２４４】
以下、前述の発明を実施するための最良の形態にしたがって、具体的に作製した画像形成体の実施例について詳細に説明するが、本発明は、この実施例に限定されるものではない。
【実施例９】
【０２４５】
本実施例は、第一画像が一定ピッチで一定方向に圧縮、第二画像が一定ピッチ、第一画像と第二画像を判別型とする条件で作製した画像形成体について、図４６から図４９を用いて説明をする。【０２４６】
図４６（ａ）は、実施例９における画像形成体の第一画像の画線構成、（ｂ）は、第一画像を構成する第一画像要素から成る画像群である。第一画像（１０１ａ）は、８．６ｍｍ×１２ｍｍで構成し、図４６（ｂ）に示す各第一画像要素（１０１ａ−１、１０１ａ−２、・・・、１０１ａ−２３）は、第一ピッチを０．３７６ｍｍの間隔で、横方向にすべての第一画像要素を同じ縮率で約２％に圧縮し、１０１ａ−１、１０１ａ−２、・・・、１０１ａ−２３の順に均等に配置されて成る画線構造である。第一画像要素の縮率については、各第一画像要素が第一画像の配置ピッチ内に収まる値であって、各第一画像要素同士が重なり合わない範囲にとどめることを条件に、任意の値に設定して良い。各第一画像要素の幅は、配置ピッチ０．３７６ｍｍの約半分の幅である０．２００ｍｍの幅とし、画線幅は、０．０２ｍｍとした。【０２４７】
本発明の一実施の形態において、モアレを出現させるための第一画像（１０１ａ）としては、第一画像要素を一周期分だけ配置したものとした。しかし、第一画像要素（１０１ａ−１、１０１ａ−２、・・・、１０１ａ−２３）１周期の最後にあたる１０１ａ−２３の第一画像要素の隣に、１０１ａ−１の第一画像要素を同様に第一ピッチ０．３７６ｍｍで配置して、また、同様に１０１ａ−２、１０１ａ−３と配置し、数周期繰り返すことで第一画像を形成しても構わない。【０２４８】
図４６（ｂ）に示す第一画像要素（１０１ａ−１、１０１ａ−２、・・・、１０１ａ−２３）は、計２３個の人体の簡易図を表した画像である。これらは、隣り合った画像同士が、わずかずつ異なっているが、その変化には連続して繋がった流れがあり、すなわち１０１ａ−１、１０１ａ−２、１０１ａ−３と順を追うにしたがって、人体の簡易図が右方向に向かって歩いているように見えるように徐々に変化させている。【０２４９】
図４７は、第一画像（１０１ａ）と干渉させるための第二画像（１０２ａ）である。第二画像（１０２ａ）における第二画像要素は、１４ｍｍ×９ｍｍで構成し、線幅０．３５ｍｍの画線を０．４０ｍｍピッチで連続的に配置した画線構造（スリット構造）とした。【０２５０】
本実施例においては、図４８（ａ）に示すように印刷物の認証形態を透過光によって認証する形態とするために、第一画像（１０１ａ）を印刷する基材（１０３ａ）と第二画像（１０２ａ）を印刷する基材（１０３ａ´）は、共に透明な印刷用フィルム（ｋｏｄａｋ製  ｃｏｎｔａｃｔ  ２０００）を用いた。【０２５１】
また、第一画像（１０１ａ）が印刷された基材（１０３ａ）と第二画像（１０２ａ）が印刷された基材（１０３ａ´）を重ね合わせ画像形成体（１０４ａ）とした。図４８（ｂ）に示すように、観察者（１０５ａ）が、重ね合わせた画像形成体（１０４ａ）を光源（１０６ａ）にかざし、透過光で観察した。光源としては、天井の蛍光灯を用いた。【０２５２】
画像形成体（１０４ａ）を観察した結果、図４９に示すように、人体のモアレ画像（１０７ａ−１、１０７ａ−２）が、１個と半分程度現れた。【０２５３】
モアレ画像の幅は、図４６（ａ）の第一画像要素の第一画像（１０１ａ）中の第一ピッチ（０．３７６ｍｍ）中に占める割合と、第一画像（１０１ａ）における第一画像要素の第一ピッチと第二画像（１０２ａ）における第二画像要素の第二ピッチの差によって決定される。本実施例においては、第一画像（１０１ａ）における第一画像要素の第一ピッチと第二画像（１０２ａ）における第二画像要素の第二ピッチの差は、約０．０２４ｍｍであることから、この場合の一つ一つの干渉縞の周期は、０．４÷０．０２４×０．４ｍｍで約７ｍｍとなり、また、第一画像（１０１ａ）を構成する第一画像要素の幅は、配置ピッチの半分程度としていることから、結果として生じる人体モアレの幅は、約３〜４ｍｍとなる。【０２５４】
また、第一画像（１０１ａ）が印刷された基材（１０３ａ）と、第二画像（１０２ａ）が印刷された基材（１０３ａ´）を重ね合わせた状態のまま、図４８（ｂ）の矢印で示すように、ずらしながら観察すると、人体のモアレが足を踏み出し、手を振りながら動き出すアニメーションを観察できる。具体的には、第一画像（１０１ａ）が印刷された基材（１０３ａ）を固定して、第二画像（１０２ａ）が印刷された基材（１０３ａ´）を左方向にずらしながら観察すると、人体のモアレは、図４９の矢印で示す右方向に向かって歩き、逆方向にずらすと、人体のモアレは、左方向に向かって歩くアニメーションとなる。【０２５５】
発生させるモアレ画像の動きの範囲は、例えば、図４６（ｂ）に示した人体の場合、具体的には、どれだけ手や足を大きく振らせるかといったモアレ画像の動きの範囲は、第一画像群の中に、最大限の手や足の振りと最小限の手や足の振りを表した第一画像要素が、第一画像群の中に含まれているかどうかによって決定される。つまり、モアレ画像の手や足を大きく振り出すアニメーションにしたい場合、第一画像群の中に大きく手や足を振り出している第一画像要素を含んだ構成にする。
【実施例１０】
【０２５６】
本実施例１０は、第一画像が一定ピッチで一定方向に圧縮、第二画像が一定ピッチ、第一画像と第二画像を一体型にする条件で作製した画像形成体について、図５０から図５３を用いて説明をする。【０２５７】
図５０（ａ）は、実施例１０における画像形成体の第一画像の画線構成、（ｂ）は、第一画像を構成する第一画像要素から成る画像群である。第一画像（１０１ｂ）は、１９．５ｍｍ×５ｍｍで構成し、図５０（ｂ）に示す各第一画像要素（１０１ｂ−１、１０１ｂ−２、・・・、１０１ｂ−３２）を、第一ピッチを０．３１５ｍｍの間隔で、各第一画像要素同士が重ならないように横方向にすべての第一画像要素を同じ縮率で約２％に圧縮し、１０１ｂ−１、１０１ｂ−２、・・・、１０１ｂ−３２の順に均等に配置され、次に、１０１ｂ−１の中心を軸として、１０１ｂ−１、１０１ｂ−２、・・・、１０１ｂ−３２の画像をミラー反転させた画像を反対側にコピーされて成る画線構造である。【０２５８】
図５０（ｂ）に示す第一画像要素（１０１ｂ−１、１０１ｂ−２、・・・、１０１ｂ−３２）は、計３２個の立方体を表した画像である。これは、隣り合った画像同士がわずかずつ異なっているが、その変化には連続して繋がった流れがあり、すなわち１０１ｂ−１、１０１ｂ−２、１０１ｂ−３と順を追うにしたがって立方体が時計周りに回っているように見えるように徐々に変化させている。【０２５９】
本実施例においては、図５０（ｂ）の第一画像（１０１ｂ）を形成した場合の各第一画像要素の幅は、配置ピッチ０．３１５ｍｍの約３分の２にあたる幅である０．２００ｍｍとした。画線幅は、０．０１ｍｍとし、第一画像（１０１ｂ）の高さ５ｍｍ、幅１９．５ｍｍとし、ウェットオフセット印刷方式で、コート紙状に黒色インキ（Ｔ＆Ｋ  ＴＯＫＡ製  ベストキュアー  墨）を用いて印刷を行った。【０２６０】
第一画像（１０１ｂ）と干渉させるための第二画像（１０２ｂ）における第二画像要素は、図５１に示すように、市販されている７５線（７５Ｌｉｎｅ／ｉｎｃｈ＝第二ピッチ０．３３９ｍｍ）のレンチキュラーレンズを用いた。レンチキュラーレンズは、蒲鉾型レンズの屈折を利用することから、パララックスバリア方式と比較して出現するモアレ画像が暗くならず、解像度が高い画像を視認させることが可能であるという特徴があり、透過ではなく、反射でモアレ画像を視認させる形態に適している。【０２６１】
本実施例１０においては、第一画像（１０１ｂ）を印刷する基材（１０３ｂ）には、一般的な白色コート紙を用いた。【０２６２】
図５２（ａ）に示すように、第一画像（１０１ｂ）と第二画像（１０２ｂ）である７５線のレンチキュラーレンズを接着して画像形成体（１０４ｂ）を作製し、図５２（ｂ）に示すように、観察者（１０５ｂ）が、接着した画像形成体（１０４ｂ）を反射光で観察した。【０２６３】
画像形成体（１０４ｂ）を観察した結果、図５３に示すように、立方体（１０７ｂ−１、１０７ｂ−２、１０７ｂ−３）が、幅約４ｍｍの３個のモアレ画像として、それぞれ立体感を伴って現れた。【０２６４】
また、作製した画像形成体（１０４ｂ）を、図５２（ｂ）に示した矢印のように傾けて観察すると、立方体のモアレ画像（１０７ｂ−１、１０７ｂ−２、１０７ｂ−３）は、立方体の中心を軸に回転しながら左右に動く。具体的には、正対した状態から、画像形成体（１０４ｂ）における向かって左側を観察者（１０５ｂ）側に近づけた場合、立方体のモアレ画像（１０７ｂ−１、１０７ｂ−２、１０７ｂ−３）は、中心を軸に反時計周りに周りながら左方向に動き、逆に、正対した状態から、画像形成体（１０４ｂ）のもう一方の右側を観察者（１０５ｂ）側に近づけた場合、立方体のモアレ画像（１０７ｂ−１、１０７ｂ−２、１０７ｂ−３）は、中心を軸に時計周りに周りながら右方向に動く。いずれも立体感を伴っており、目的とした効果を発揮することを確認できた。【０２６５】
立体感が生じる理由は、レンチキュラーレンズを通して視認できるモアレ画像の立方体（１０７ｂ−１、１０７ｂ−２、１０７ｂ−３）が、右眼から見た画像と左から見た画像の形状がわずかに異なっていることに起因する。【０２６６】
具体的には、左眼に見えているモアレ画像を基準として考えると、右眼に見えている画像は、観察角度の違いからわずかに時計周りに回った画像となる。この右眼画像と左眼画像の違いは、実際の立体物を三次元空間で観察した場合と同じ関係となるため、両眼視差が有効に機能し、観察者（１０５ｂ）の脳は、平面上に形成されている画像であるにも関わらず、あたかも三次元空間に存在する立体物であるかのように錯覚することで、モアレ画像自体に立体感が生じている。【０２６７】
この立体感とは、単なる遠近感とは異なり、モアレ画像一つの中に遠く感じる部分と、近く感じる部分を形成することが可能な効果である。例えば、図５０（ａ）の第一画像要素の一つの立方体（１０１ｂ―１）を単に紙の上に描いた場合、菱形を成している二つの面のうち、どちらの面が手前にあるのか、奥側にあるのかが判断できない。これは、従来の技術によって形成したモアレ画像においても同様であり、モアレ画像全体として手前側にある、奥側にあるという遠近感を付与すること（レイヤーデプスの付与）は可能であるものの、立方体の中で手前の面、奥側の面であるという立体感を付与すること（フルデプスの付与）が不可能であった。【０２６８】
しかしながら、本発明の一実施の形態のように立法体の絵一つ一つをわずかに変化させた構成で立法体のモアレ画像を形成した場合には、一つ一つの画像中に手前の面、奥側の面といった複雑な立体感が付与されることから、菱形を形成している二つの面のうち、どちらの面が手前にあるのかが一目瞭然となる。本例においては、立方体をやや上から眺めている状態として観察されることから、二つの菱型のうち下側に存在する面が手前側にあると認識される。【０２６９】
両眼視差を有効に機能させるためには、右眼に見える角度と左眼に見えるモアレ画像の角度の差は、１度から４度程度の差に留まるように、第一画像要素を構成することが望ましいため、この条件を満たすためには、図５０（ａ）の第一画像要素のように、隣り合った画像要素間では、ほとんど変化がわからない程度の差異しか設けてはならない。この差異が大きすぎる場合には、出現するモアレ画像に大きな歪みが生じる。この「設けて良い差異」については、設計者が最終的に出現させようとするモアレ画像の形状やその精度によって大きく変わり、かつ、第一画像における第一画像要素の第一ピッチと第二画像における第二画像要素の第二ピッチの差の影響も大きく受けることから、その都度適した条件は異なることから一概に決定することはできないが、例えば本実施例１０のように面構造を正確に表現する必要がある立方体のような画像の場合、歪みが大きいと目立ち易いことから、一つ一つの第一画像要素は、０．５度ずつ角度を変化させた程度の画像の変化にとどめている。【０２７０】
本実施例１０において、第二画像（１０２ｂ）は、レンチキュラーレンズを用いて代替したが、実施の形態で説明したような透過型のパララックスバリア方式でも何ら問題はなく、立体的なモアレ画像を形成できることは言うまでもない。
【実施例１１】
【０２７１】
本実施例１１は、第一画像が一定ピッチで一定方向に圧縮、第二画像が異なるピッチ、第一画像と第二画像が判別型の条件で作製した画像形成体について、図５４から図５７を用いて説明をする。【０２７２】
図５４（ａ）は、実施例１１における画像形成体の第一画像の画線構成、（ｂ）は、第一画像を構成する第一画像要素から成る画像群である。第一画像（１０１ｃ）は、図５４（ｂ）に示す画像群を一周期としたとき、三周期分繰り返した画像であり、１０．０ｍｍ×２５．０ｍｍで構成した。一周期目の各第一画像要素は、図５４（ｂ）に示す各第一画像要素（１０１ｃ−１、１０１ｃ−２、・・・、１０１ｃ−２３）を、第一ピッチ０．３７６ｍｍの間隔で、各第一画像要素同士が重ならないように横方向にすべての第一画像要素を同じ縮率で約２％に圧縮し、１０１ｃ−１、１０１ｃ−２、・・・、１０１ｃ−２３の順に均等に配置されて成る画線構造である。さらに、二周期目の各第一画像要素は、１周期の第一画像要素（１０１ｃ−１、１０１ｃ−２、・・・、１０１ｃ−２３）の最後にあたる１０１ｃ−２３の第一画像要素の隣に、１０１ｃ−１の第一画像要素を同様に第一ピッチ０．３７６ｍｍで配置して、また、同様に１０１ｃ−２、１０１ｃ−３と配置している。同様に、三周期目の各第一画像要素は、２周期の第一画像要素（１０１ｃ−１、１０１ｃ−２、・・・、１０１ｃ−２３）の最後にあたる１０１ｃ−２３の第一画像要素の隣に、１０１ｃ−１の第一画像要素を同様に第一ピッチ０．３７６ｍｍで配置して、また、同様に１０１ｃ−２、１０１ｃ−３と配置している。各第一画像要素の幅は、配置ピッチ０．３７６ｍｍの約半分の幅である０．２００ｍｍの幅とし、画線幅は、０．０２ｍｍとした。【０２７３】
図５４（ｂ）に示す第一画像要素（１０１ｃ−１、１０１ｃ−２、・・・、１０１ｃ−２３）は、計２３個の人体の簡易図を表した画像である。これらは、隣り合った画像同士が、わずかずつ異なっているが、その変化には連続して繋がった流れがあり、すなわち１０１ｃ−１、１０１ｃ−２、１０１ｃ−３と順を追うにしたがって人体の簡易図が右方向に向かって歩いているように見えるように徐々に変化させている。【０２７４】
図５５は、第一画像（１０１ｃ）と干渉させるための第二画像（１０２ｃ）である。第二画像（１０２ｃ）における第二画像要素は、１４ｍｍ×２６ｍｍで構成し、画線幅０．３ｍｍの直線０．３７８〜０．４１３ｍｍの間で徐々に第二ピッチを変化させながら配置している。第二画像（１０２ｃ）における片方の第二ピッチは、０．４１３ｍｍで始まり、徐々にピッチを狭くして、最終的にもう片方の第二ピッチは、０．３７８ｍｍと成るような画線構造（スリット構造）とした。【０２７５】
本実施例１１においては、印刷物の認証形態を透過光によって認証する形態とするために、第一画像（１０１ｃ）を印刷する基材（１０３ｃ）と第二画像（１０２ｃ）を印刷する基材（１０３ｃ´）は、共に透明な印刷用フィルム（ｋｏｄａｋ製  ｃｏｎｔａｃｔ  ２０００）を用いた。【０２７６】
図５６（ａ）に示すように、第一画像（１０１ｃ）が印刷された基材（１０３ｃ）と第二画像（１０２ｃ）が印刷された基材（１０３ｃ´）を重ね合わせ、図５６（ｂ）に示すように、観察者（１０５ｃ）が、重ね合わせた画像形成体（１０４ｃ）を光源（１０６ｃ）にかざし、透過光で観察した。光源（１０６ｃ）としては、天井の蛍光灯を用いた。【０２７７】
画像形成体（１０４ｃ）を観察した結果、図５７に示すように、人体のモアレ画像（１０７ｃ−１、１０７ｃ−２、１０７ｃ−３、１０７ｃ−４）が、４個から５個現れた。ただし、図５７には４個の人体が現れた場合を一例として示す。【０２７８】
本実施例１１においては、第二画像（１０２ｃ）における第二画像要素の第二ピッチが変わっていることから、画像の左側に見えるモアレ画像は、若干手前にあるように見え、逆に画像の右側に見えるモアレ画像は、奥にあるように見える。また、モアレ画像の歩く速度は、右へいくに従がって早くなることから、モアレ画像が左から右へ行くにしたがって、観察者（１０５ｃ）から遠ざかっているかのように観察される。
【実施例１２】
【０２７９】
本実施例１２は、第一画像が一定ピッチで両方向に圧縮、第二画像が一定ピッチ、第一画像と第二画像が一体型の条件で作製した画像形成体について、図５８から図６１を用いて説明をする。【０２８０】
図５８（ａ）は、実施例１２における画像形成体の第一画像の画像構成、（ｂ）は、第一画像を構成する第一画像要素の一つである。第一画像（１０１ｄ）は、２０ｍｍ×２０ｍｍで構成し、図５８（ｂ）に示す各第一画像要素を、第一ピッチを０．６３６ｍｍの間隔で、各第一画像要素同士が重ならないように縦方向及び横方向にすべての第一画像要素を同じ縮率で約２％に圧縮し、３１×３１個の合計９６１個の立方体によって構成して成る画素構造である。各第一画像要素の画線幅は、０．０２ｍｍ、一辺の長さは、０．４３ｍｍとした。【０２８１】
中央の第一画像要素の一つ（１０１ｄ―１）を中心に、右側に位置する立方体は、端部に行くにしたがって時計周りに約０．５度ずつ徐々に変化した画像であり、左側に位置する立方体は、端部に行くにしたがって反時計周りに約０．５度ずつ徐々に回転した画像であり、上側に位置する画像は、端部に行くにしたがって手前に倒れるよう約０．５度ずつ回転した画像であり、下側に位置する画像は、端部に行くにしたがって奥側に倒れるよう約０．５度ずつ回転した画像である。【０２８２】
図５９は、第一画像（１０１ｄ）と干渉させるための第二画像（１０２ｄ）である。第二画像（１０２ｄ）における第二画像要素は、第二ピッチ０．６０ｍｍで上下左右に均等に配置した直径０．０５ｍｍの非画線部を有した黒塗り画像である画素構造とした。【０２８３】
本実施例１２においては、第一画像（１０１ｄ）を印刷する基材（１０３ｄ）として、透明な印刷フィルムを用い、この透明な印刷フィルムに第一画像（１０１ｄ）を印刷した。さらに、第二画像（１０２ｄ）を印刷する基材（１０３ｄ´）として０．３ｍｍ厚みの透明なアクリル板を用い、このアクリル板に第二画像（１０２ｄ）を印刷したフィルムを貼り付けた。【０２８４】
図６０（ａ）に示すように、第一画像（１０１ｄ）を印刷した透明フィルムと第二画像（１０２ｄ）を印刷したアクリル板を貼り付け、透過パララックスバリア型の画像形成体（１０４ｄ）を作製した。図６０（ｂ）に示すように、観察者（１０５ｄ）が、作製した画像形成体（１０４ｄ）を光源（１０６ｄ）にかざし、透過光で観察した。光源（１０６ｄ）としては、天井の蛍光灯を用いた。【０２８５】
画像形成体（１０４ｄ）を観察した結果、図６１に示すように傾けた方向に連動して立方体の画像が回転する立体感を伴ったモアレ画像（１０７ｄ−１、１０７ｄ−２、１０７ｄ−３、１０７ｄ−４、１０７ｄ−５）を視認することが可能であった。この形態では、あらゆる角度の変化に対して、モアレ画像がそれに対応した方向に徐々に回転する極めてユニークな画像となる。ただし、本実施例１２のようにドット構造で形成するモアレ画像は、実施例９のようなスリット構造で形成するモアレ画像と比較して、モアレ画像は、比較的暗くなる傾向にあることから、観察するには、日光のような強い光が適している。また、透過ではなく、反射で見せる目的で印刷物を形成する場合には、スリットタイプのレンチキュラーレンズではなく、第二ピッチ０．６ｍｍでマイクロレンズが配されたマイクロレンズアレイを張り合わせる必要がある。【０２８６】
本実施例１２においては、第一画像要素の一辺の長さが０．４３ｍｍの正立方体を用いたため、出現するモアレ画像（１０７ｄ−１、１０７ｄ−２、１０７ｄ−３、１０７ｄ−４、１０７ｄ−５）も正立方体であるが、例えば、第一画像要素の一辺の長さが０．６３ｍｍ×０．４３の縦長の立方体を用いた場合、出現するモアレ画像も縦長の立方体となる。
【実施例１３】
【０２８７】
本実施例１３は、第一画像が異なるピッチで一定方向に圧縮、第二画像が一定ピッチ、第一画像と第二画像が判別型の条件で作製した画像形成体について、図６２から図６５を用いて説明をする。【０２８８】
図６２（ａ）は、実施例１３における画像形成体の第一画像の画線構成、（ｂ）は、第一画像を構成する第一画像要素から成る画像群である。第一画像（１０１ｅ）は、図６２（ｂ）に示す画像群を一周期としたとき、三周期分繰り返した画像であり、１０．０ｍｍ×２５．０ｍｍで構成した。一周期目の各第一画像要素（１０１ｅ−１、１０１ｅ−２、・・・、１０１ｅ−２３）は、第一ピッチを０．３６３〜０．３７０ｍｍまで順に大きくして、各第一画像要素同士が重ならないように横方向にすべての第一画像要素を同じ縮率で約２％に圧縮し、１０１ｅ−１、１０１ｅ−２、・・・、１０１ｅ−２３の順に均等に配置されて成る画線構造である。さらに、二周期目の各第一画像要素（１０１ｅ−１、１０１ｅ−２、・・・、１０１ｅ−２３）は、第一ピッチを０．３７０〜０．３７８ｍｍまで順に大きくして、各第一画像要素同士が重ならないように横方向にすべての第一画像要素を同じ縮率で約２％に圧縮し、１０１ｅ−１、１０１ｅ−２、・・・、１０１ｅ−２３の順に均等に配置されている。さらに、三周期目の各第一画像要素（１０１ｅ−１、１０１ｅ−２、・・・、１０１ｅ−２３）は、第一ピッチを０．３７８〜０．３８９ｍｍまで順に大きくして、各第一画像要素同士が重ならないように横方向にすべての第一画像要素を同じ縮率で約２％に圧縮し、１０１ｅ−１、１０１ｅ−２、・・・、１０１ｅ−２３の順に均等に配置されている。すなわち、一周期目の１０１ｅ−１と１０１ｅ−２の第一ピッチを０．３６３で配置したのち、１０１ｅ−３、１０１ｅ−４と順に０．０００４ｍｍずつピッチを広げて配置していき、３周期目１０１ｅ−２２と１０１ｅ−２３の第一ピッチが０．３８９ｍｍとなるような構成としている。各第一画像要素の幅は、０．２００ｍｍとし、画線幅は、０．０１ｍｍとした。【０２８９】
図６２（ａ）は、本発明の一実施の形態のモアレ画像の第一画像（１ｅ）を形成する第一画像要素（１０１ｅ−１、１０１ｅ−２、・・・、１０１ｅ−２３）が集まった画像群を示す図であり、計２３個の人体の簡易図を表した画像である。これらは、隣り合った画像同士が、わずかずつ異なっているが、その変化には連続して繋がった流れがあり、すなわち１０１ｅ−１、１０１ｅ−２、１０１ｅ−３と順を追うにしたがって人体の簡易図が右方向に向かって歩いているように見えるように徐々に変化させている。【０２９０】
図６３は、第一画像（１０１ｅ）と干渉させるための第二画像（１０２ｅ）である。第二画像（１０２ｅ）における第二画像要素は、２６ｍｍ×１４ｍｍで構成し、線幅０．３５ｍｍの画線を０．４０ｍｍピッチで連続的に配置した画線構造（スリット構造）とした。【０２９１】
図６４（ａ）には、第一画像（１０１ｅ）と第二画像（１０２ｅ）の重ね合わせる様子を示しているが、この例おいては、印刷物の認証形態を透過光によって認証する形態とするため、第一画像（１０１ｅ）を印刷する基材（１０３ｅ）と第二画像（１０２ｅ）を印刷する基材（１０３ｅ´）は、共に透明な印刷用フィルム（ｋｏｄａｋ製  ｃｏｎｔａｃｔ  ２０００）を用いた。【０２９２】
図６４（ａ）に示すように、第一画像（１０１ｅ）が印刷された基材（１０３ｅ）と第二画像（１０２ｅ）が印刷された基材（１０３ｅ´）を重ね合わせ、図６４（ｂ）に示すように、観察者（１０５ｅ）が、重ね合わせた画像形成体（１０４ｅ）を光源（１０６ｅ）にかざし、透過光で観察した。光源（１０６ｅ）としては、天井の蛍光灯を用いた。【０２９３】
画像形成体（１０４ｅ）を観察した結果、図６５に示すように、人体のモアレ画像（１０７ｅ−１、１０７ｅ−２、１０７ｅ−３、１０７ｅ−４）が、４個から５個現れた。ただし、図６５には４個の人体が現れた場合を一例として示す。【０２９４】
また、第一画像（１０１ｅ）が印刷された基材（１０３ｅ）と、第二画像（１０２ｅ）が印刷された基材（１０３ｅ´）を重ね合わせた状態のまま、図６４（ｂ）の矢印で示すように、ずらしながら観察すると、人体のモアレが足を踏み出し、手を振りながら動き出すアニメーションを観察できる。具体的には、第一画像（１０１ｅ）が印刷された基材（１０３ｅ）を固定して、第二画像（１０２ｅ）が印刷された基材（１０３ｅ´）を右方向にずらしながら観察すると、人体のモアレは、図６５の矢印で示す左方向に向かって歩き、逆方向にずらすと、人体のモアレは、右方向に向かって歩くアニメーションとなる。【０２９５】
ただし、実施例９の形態における第一画像（１０１ａ）の各第一画像要素間の第一ピッチが均等であるのに対し、本実施例１３における第一画像（１０１ｅ）の各第一画像要素間の第一ピッチが０．０００４ｍｍずつ変わっていることから、画像の右方向に行くにしたがってモアレ画像は手前側に近づいて見え、逆に画像の左方向ではモアレ画像は、若干奥にいるように見える。また、モアレ画像の大きさも右方向に行くにしたがって大きく、歩く速度も右方向へ行くにしたがって早くなることから、モアレ画像の遠近感はより強調され、モアレ画像は、左方向から右方向へ行くにしたがって、どんどん観察者（１０５ｅ）に近づいているかのように観察される。【０２９６】
以上のように、第一画像（１０１ｅ）における第一画像要素の第一ピッチを意図的に変化させることによって、よりユニークなモアレ画像を視認させることが可能である。【０２９７】
このように、遠近感の制御にあたって重要なことは、第一画像（１０１ｅ）における第一画像要素の第一ピッチと、第二画像（１０２ｅ）における第二画像要素の第二ピッチの差を制御することであるから、第一画像（１０１ｅ）における第一画像要素の第一ピッチではなく、第二画像（１０２ｅ）における第二画像要素の第二ピッチを変化させることでも同様な効果が得られることは言うまでもなく、更に、第一画像（１０１ｅ）における第一画像要素の第一ピッチと第二画像（１０２ｅ）における第二画像要素のピッチの両方を変化させることでも同様な効果を得ることは言うまでもない。
【実施例１４】
【０２９８】
本実施例１４は、第一画像が一定ピッチで一定方向に圧縮、更に第一画像を情報文字やカモフラージュ模様などで隠蔽、第二画像が一定ピッチ、第一画像と第二画像を別々の基材に形成し、判別型で作製した画像形成体について、図６６から図６９を用いて説明する。【０２９９】
図６６（ａ）は、実施例１４における画像形成体の第一画像の画線構成、（ｂ）は、第一画像を構成する第一画像要素から成る画像群である。第一画像（１０１ｆ）は、４５．０ｍｍ×５．０ｍｍで構成し、図６６（ｂ）に示す各第一画像要素（１０１ｆ−１、１０１ｆ−２、・・・、１０１ｆ−３０）を、１０１ｆ−１を基準として１０１ｆ−２、１０１ｆ−３、・・・、１０１ｆ−３０の順に左側に第一ピッチを０．３５４ｍｍの間隔で、各第一画像要素同士が重ならないように横方向にすべての第一画像要素を同じ縮率で約２％に圧縮し、次に、１０１ｆ−１の中心を軸として、１０１ｆ−１、１０１ｆ−２、・・・、１０１ｆ−３０の画像をミラー反転させた画像を反対側にコピーされて成る画線構造である。【０３００】
図６６（ｂ）に示す第一画像要素（１０１ｆ−１、１０１ｆ−２、・・・、１０１ｆ−３０）は、計３０個のベルを表した画像である。これは、隣り合った画像同士がわずかずつ異なっているが、その変化には連続して繋がった流れがあり、すなわち、１０１ｆｂ−１、１０１ｆ−２、１０１ｆ−３と順を追うにしたがってベルが右方向に振れるように徐々に変化させている。【０３０１】
本実施例１４においては、図６６（ｂ）の第一画像（１０１ｆ）を形成した場合の各第一画像要素の幅は、配置ピッチ０．３５４ｍｍの約３分の１にあたる幅である０．１２０ｍｍとした。画線幅は、０．０１ｍｍとし、また、第一画像（１０１ｆ）における第一画像要素の高さ５ｍｍ、幅４５ｍｍとした。【０３０２】
この第一画像（１０１ｆ）を印刷画像の背景を成す地紋画像に見立て、図６７に示すように、第一画像（１０１ｆ）の下に配置した「Ｍｅｒｒｙ  Ｃｈｒｉｓｔｍａｓ  ｔｏ  ｙｏｕ」の文言を構成する情報文字（１０９）と、周りを取り囲むリボンや草といったカモフラージュ模様（１１０）を組み合わせてモアレ隠蔽画像（１１１）を構成し、ウェットオフセット印刷方式で、コート紙状に黒色インキ（Ｔ＆Ｋ  ＴＯＫＡ製  ベストキュアー  墨）を用いて印刷を行った。【０３０３】
第一画像（１０１ｆ）と干渉させるための第二画像（１０２ｆ）における第二画像要素は、市販されている７５線（７５Ｌｉｎｅ／ｉｎｃｈ＝第二ピッチ０．３３９ｍｍ）のレンチキュラーレンズを用いた。【０３０４】
図６８（ａ）に示すように、第一画像（１０１ｆ）と第二画像（１０２ｆ）である７５線のレンチキュラーレンズを重ねあわせて画像形成体（１０４ｆ）を作製し、図６８（ｂ）に示すように、観察者（１０５ｆ）が、接着した画像形成体（１０４ｆ）を反射光で観察した。【０３０５】
画像形成体（１０４ｆ）を観察した結果、図６９に示すように、ベルのモアレ画像（１０７ｆ−１、１０７ｆ−２、１０７ｆ−３、１０７ｆ−４、１０７ｆ−５）が、幅４ｍｍ前後の５個から６個のモアレ画像として、それぞれ情報文字（１０９）の上に現れた。モアレ画像（１０７ｆ−１、１０７ｆ−２、１０７ｆ−３、１０７ｆ−５）として出現するベルの画像は、もともとの第一画像要素の傾きとは逆方向に傾いた画像となるが、これは、第一画像（１０１ｆ）における第一画像要素の第一ピッチが第二画像（１０２ｆ）における第二画像要素の第一ピッチよりも大きいためにサンプリング周期が反転したためである。【０３０６】
レンチキュラーレンズ（１０２ｆ）を重ねた状態では、第一画像（１０１ｆ）は、完全に消失して、ベルのモアレ画像に変化することから、モアレ隠蔽画像（１１１）を見た限りでは、第一画像（１０１ｆ）と重なっていたことで視認性が高くなかった情報文字（１０９）も、第一画像（１０１ｆ）が消失して背景が白色に変化することで、一気に視認性が高まる効果を有する。【０３０７】
また、モアレ画像は、レンチキュラーレンズのピッチと比べて広いピッチで形成していることから、情報文字（１０９）と比較して浮き出しているように感じられる。よって、レンチキュラーレンズを重ねて観察した場合、情報文字（１０９）とモアレ画像（１０７ｆ−１、１０７ｆ−２、１０７ｆ−３、１０７ｆ−５）とが重なり合って出現するものの、観察者（１０５ｆ）は、二つの画像を混同することなく、別々の情報として認識できる効果を有する。
【符号の説明】
【０３０８】
１、１ａ、１ｂ、１ｃ、１ｄ、１ｅ、１ｆ、１ｇ、１ｈ  第一の画像
２、２ａ、２ｂ、２ｃ、２ｅ、２ｆ、２ｇ、２ｈ、２ｈ´  凸形状の第一の画線
２ｄ  凸形状の第一の画素
３、３ａ、３ｂ、３ｃ、３ｄ、３ｅ、３ｆ、３ｇ、３ｈ  第二の画像
４、４ａ、４ｂ、４ｃ、４ｃ´、４ｅ、４ｅ´、４ｅ´´、４ｆ、４ｇ、４ｇ´、４ｈ  第二の画線
４ｄ  第二の画素
５、５ａ、５ｂ、５ｃ、５ｄ、５ｅ、５ｆ、５ｇ、５ｈ  基材
６、６ａ、６ｂ、６ｃ、６ｄ、６ｅ、６ｆ、６ｇ、６ｈ  画像形成体
７  光源
８  視点
９、９ａ、９ｂ、９ｃ、９ｃ´、９ｄ、９ｅ、９ｅ´、９ｅ´´、９ｆ、９ｇ、９ｇ´、９ｈ、９ｈ´  モアレ模様
１０、１０ａ、１０ｂ、１０ｃ、１０ｄ、１０ｅ、１０ｆ、１０ｇ、１０ｈ  背景
１１  銀インキのＬ＊
１２  銀インキのａ＊
１３  銀インキのｂ＊
１１´  表２の無色パールインキのＬ＊
１２´  表２の無色パールインキのａ＊
１３´  表２の無色パールインキのｂ＊
１１´´  表１の着色パールインキのＬ＊
１２´´  表１の着色パールインキのａ＊
１３´´  表１の着色パールインキのｂ＊
１１´´´  表２の着色パールインキのＬ＊
１２´´´  表２の着色パールインキのａ＊
１３´´´  表２の着色パールインキのｂ＊
１４  ベタ画像
１５、１６、１７、１８  第１の領域
１５´、１６´、１７´、１８´  第２の領域
１５´´  第３の領域
１０１、１０１ａ、１０１ｂ、１０１ｃ、１０１ｄ、１０１ｅ、１０１ｆ  第一画像
１０１−１、・・・、１０１−ｎ  第一画像要素
１０１ａ−１、・・・、１０１ａ−２３  第一画像要素
１０１ｂ−１、・・・、１０１ｂ−３２  第一画像要素
１０１ｃ−１、・・・、１０１ｃ−２３  第一画像要素
１０１ｄ−１、・・・、１０１ｄ−９６１  第一画像要素
１０１ｅ−１、・・・、１０１ｅ−２３  第一画像要素
１０１ｆ−１、・・・、１０１ｆ−３０  第一画像要素
１０２、１０２ａ、１０２ｂ、１０２ｃ、１０２ｄ、１０２ｅ、１０２ｆ  第二画像
１０３、１０３ａ、１０３ａ´、１０３ｂ、１０３ｃ、１０３ｄ、１０３ｄ´、１０３ｅ、１０３ｅ´、１０３ｆ  基材
１０４、１０４ａ、１０４ｂ、１０４ｃ、１０４ｄ、１０４ｅ、１０４ｆ  画像形成体
１０５、１０５ａ、１０５ｂ、１０５ｃ、１０５ｄ、１０５ｅ、１０５ｆ  観察者
１０６、１０６ａ、１０６ｃ、１０６ｄ、１０６ｅ  光源
１０７−１、・・・、１０７−ｎ  モアレ画像
１０７ａ−１、・・・、１０７ａ−２  モアレ画像
１０７ｂ−１、・・・、１０７ｂ−３  モアレ画像
１０７ｃ−１、・・・、１０７ｃ−４  モアレ画像
１０７ｄ−１、・・・、１０７ｄ−５  モアレ画像
１０７ｅ−１、・・・、１０７ｅ−４  モアレ画像
１０７ｆ−１、・・・、１０７ｆ−５  モアレ画像
１０９  情報文字
１１０  カモフラージュ模様
１１１  モアレ隠蔽画像
【図４０】
2009139396.tif 000006
【図４１】
2009139396.tif 000007
【図４３】
2009139396.tif 000008
【図４６】
2009139396.tif 000009
【図５３】
2009139396.tif 000010
【図５４】
2009139396.tif 000011
【図５８】
2009139396.tif 000012
【図６１】
2009139396.tif 000013
【図６２】
2009139396.tif 000014
【図６６】
2009139396.tif 000015
【図６７】
2009139396.tif 000016
【図６９】
2009139396.tif 000017
【図１】
2009139396.tif 000018
【図２】
2009139396.tif 000019
【図３】
2009139396.tif 000020
【図４】
2009139396.tif 000021
【図５】
2009139396.tif 000022
【図６】
2009139396.tif 000023
【図７】
2009139396.tif 000024
【図８】
2009139396.tif 000025
【図９】
2009139396.tif 000026
【図１０】
2009139396.tif 000027
【図１１】
2009139396.tif 000028
【図１２】
2009139396.tif 000029
【図１３】
2009139396.tif 000030
【図１４】
2009139396.tif 000031
【図１５】
2009139396.tif 000032
【図１６】
2009139396.tif 000033
【図１７】
2009139396.tif 000034
【図１８】
2009139396.tif 000035
【図１９】
2009139396.tif 000036
【図２０】
2009139396.tif 000037
【図２１】
2009139396.tif 000038
【図２２】
2009139396.tif 000039
【図２３】
2009139396.tif 000040
【図２４】
2009139396.tif 000041
【図２５】
2009139396.tif 000042
【図２６】
2009139396.tif 000043
【図２７】
2009139396.tif 000044
【図２８】
2009139396.tif 000045
【図２９】
2009139396.tif 000046
【図３０】
2009139396.tif 000047
【図３１】
2009139396.tif 000048
【図３２】
2009139396.tif 000049
【図３３】
2009139396.tif 000050
【図３４】
2009139396.tif 000051
【図３５】
2009139396.tif 000052
【図３６】
2009139396.tif 000053
【図３７】
2009139396.tif 000054
【図３８】
2009139396.tif 000055
【図３９】
2009139396.tif 000056
【図４２】
2009139396.tif 000057
【図４４】
2009139396.tif 000058
【図４５】
2009139396.tif 000059
【図４７】
2009139396.tif 000060
【図４８】
2009139396.tif 000061
【図４９】
2009139396.tif 000062
【図５０】
2009139396.tif 000063
【図５１】
2009139396.tif 000064
【図５２】
2009139396.tif 000065
【図５５】
2009139396.tif 000066
【図５６】
2009139396.tif 000067
【図５７】
2009139396.tif 000068
【図５９】
2009139396.tif 000069
【図６０】
2009139396.tif 000070
【図６３】
2009139396.tif 000071
【図６４】
2009139396.tif 000072
【図６５】
2009139396.tif 000073
【図６８】
2009139396.tif 000074
【国際調査報告】
2009139396.tif 000075
2009139396.tif 000076
2009139396.tif 000077
2009139396.tif 000078